(57)【要約】  ネットワークシステムリソース構成の取得方法であって、ネットワーク機器から放送され、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を、端末が受信することと、端末が、前記ノンアンカー搬送波構成に基づいて、前記ネットワーク機器とランダムアクセス又はページングリスニングを行うリソース情報を特定することとを含む。【選択図】図１
2019528020.tif 000002
【特許請求の範囲】
【請求項１】
ネットワーク機器から放送され、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を、端末が受信することと、
端末が、前記ノンアンカー搬送波構成に基づいて、前記ネットワーク機器とランダムアクセス又はページングリスニングを行うリソース情報を特定することとを含むネットワークシステムリソース構成の取得方法。
【請求項２】
前記ノンアンカー搬送波構成は、
ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む請求項1に記載の方法。
【請求項３】
前記ノンアンカー搬送波構成は、
ノンアンカー搬送波のページングパラメータ構成リスト、ダウンリンクノンアンカー搬送波のページングパラメータ構成リストのいずれか一つ又はその組み合わせをさらに含む請求項1に記載の方法。
【請求項４】
前記ノンアンカー搬送波構成は、
ノンアンカー搬送波をランダムアクセスに用いることが可能か否かをノンアンカー搬送波ごとに構成した指示、
ノンアンカー搬送波をページングリスニングに用いることが可能か否かをノンアンカー搬送波ごとに構成した指示、
ノンアンカー搬送波を物理ダウンリンク制御チャネルPDCCHのリスニング及び受信に用いることが可能か否かをノンアンカー搬送波ごとに構成した指示のいずれか一つ又はその組み合わせをさらに含み、
前記ノンアンカー搬送波は、
ノンアンカー搬送波、アップリンクノンアンカー搬送波、ダウンリンクノンアンカー搬送波のいずれか一つを含む請求項1に記載の方法。
【請求項５】
ページングリスニングに利用可能に構成されたノンアンカー搬送波に対し、
前記ノンアンカー搬送波構成は、
ノンアンカー搬送波のページングパラメータ構成リスト、ダウンリンクノンアンカー搬送波のページングパラメータ構成リストのいずれか一つ又はその組み合わせをさらに含む請求項1〜4のいずれか一項に記載の方法。
【請求項６】
前記ページングパラメータ構成リストは、
ノンアンカー搬送波に共通の搬送波選択加重因子又はノンアンカー搬送波ごとに構成した搬送波選択加重因子、
ノンアンカー搬送波に共通の不連続受信DRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む請求項3に記載の方法。
【請求項７】
ネットワーク機器から放送され、各無線カバレッジレベルに対応するランダムアクセス搬送波構成を、前記端末が受信することをさらに含み、
前記ランダムアクセス搬送波構成は、
少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む請求項1に記載の方法。
【請求項８】
ネットワーク機器から放送され、各無線カバレッジレベルに対応するページング搬送波構成を、前記端末が受信することをさらに含み、
前記ページング搬送波構成は、
少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リスト、前記中心周波数又は中心周波数リストに対応するページングリソース構成のいずれか一つ又はその組み合わせを含む請求項1〜3のいずれか一項に記載の方法。
【請求項９】
前記ページング搬送波構成は、
ノンアンカー搬送波に共通の搬送波選択加重因子又はノンアンカー搬送波ごとに構成した搬送波選択加重因子、
ノンアンカー搬送波に共通のDRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む請求項8に記載の方法。
【請求項１０】
前記搬送波特徴パラメータは、
ガードバンド、インバンド、スタンドアロンバンドのうちの一つを含む請求項9に記載のいずれかの方法。
【請求項１１】
前記ネットワーク機器から放送された第1指示情報であって、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末が取得すること、若しくは、
前記ネットワーク機器から放送された第3指示情報であって、第1アンカー搬送波によってページングリスニングを行うよう前記端末に指示することに用いられる第3指示情報を、前記端末が取得すること、若しくは、
前記ネットワーク機器から放送された第5指示情報であって、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末が取得すること、若しくは、
前記ネットワーク機器から放送された第7指示情報であって、ページングリスニング用のリソースにアンカー搬送波が含まれるか否かを前記端末に指示することに用いられる第7指示情報を、前記端末が取得することをさらに含む請求項1又は2に記載の方法。
【請求項１２】
前記ネットワーク機器から放送された第2指示情報であって、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末が取得すること、若しくは、
前記ネットワーク機器から放送された第4指示情報であって、第2アンカー搬送波によってランダムアクセスを行うよう前記端末に指示することに用いられる第4指示情報を、前記端末が取得すること、若しくは、
前記ネットワーク機器から放送された第6指示情報であって、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末が取得すること、若しくは、
前記ネットワーク機器から放送された第8指示情報であって、ランダムアクセスを行うリソースにアンカー搬送波が含まれるか否かを前記端末に指示することに用いられる第8指示情報を、前記端末が取得することをさらに含む請求項1、2又は7に記載の方法。
【請求項１３】
ネットワーク機器から放送され、各無線カバレッジレベルに対応する物理ダウンリンク制御チャネルPDCCH受信にリスニングされる搬送波構成を、前記端末が受信することをさらに含み、
前記PDCCH受信にリスニングされる搬送波構成は、
少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む請求項1に記載の方法。
【請求項１４】
前記端末が、所定のアルゴリズムに基づいて、ランダムアクセス搬送波構成のうちのi番目の搬送波を選択してランダムアクセスを始めると特定した場合、PDCCH受信にリスニングされる搬送波構成から、j番目の搬送波を選択してPDCCHのリスニング及び受信を行わなければならないことをさらに含む請求項1、2、7又は13に記載の方法。
【請求項１５】
前記所定のアルゴリズムは、
【数１】
2019528020.tif 000028
(ここで、NpdはPDCCH受信にリスニングされる搬送波構成のうちの搬送波総数であり、Npaはランダムアクセス搬送波構成のうちの搬送波総数であり、i、jの最小値は1とする。)を含む請求項14に記載の方法。
【請求項１６】
前記所定のアルゴリズムは、
j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jの最小値は1とする。)を含む請求項14に記載の方法。
【請求項１７】
前記所定のアルゴリズムは、
Npd=Npaの場合、j=iになるが、
Npd≠Npaの場合、j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jの最小値は1とする。)になることを含む請求項14に記載の方法。
【請求項１８】
前記所定のアルゴリズムは、
Npd=Npaの場合、j=iになるが、
Npd≠Npaの場合、
【数２】
2019528020.tif 000029
(ここで、NpdはPDCCH受信にリスニングされる搬送波構成のうちの搬送波総数であり、Npaはランダムアクセス搬送波構成のうちの搬送波総数であり、i、jの最小値は1とする。)になることを含む請求項14に記載の方法。
【請求項１９】
ネットワーク機器から放送され、各ノンアンカー搬送波、各無線カバレッジレベルのいずれかの情報に対応するアップリンク搬送波構成とPDCCH受信にリスニングされる搬送波構成との対応関係の情報を、前記端末が受信することをさらに含み、
前記アップリンク搬送波構成は、
少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リストのいずれか一つ又はその組み合わせを含み、
前記PDCCH受信にリスニングされる搬送波構成は、
少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む請求項1又は2に記載の方法。
【請求項２０】
前記対応関係に基づいて、端末があるアップリンク搬送波を選択してランダムアクセスを始める場合、対応関係を有する前記PDCCH受信にリスニングされる搬送波構成を選択してPDCCHのリスニング及び受信を行うことをさらに含み、
前記対応関係は、少なくとも、
一つの前記アップリンク搬送波構成と一つの前記PDCCH受信にリスニングされる搬送波構成との対応関係、
一つの前記アップリンク搬送波構成と、前記アップリンク搬送波構成に対応可能な搬送波がビットマップ内に所定値1で示され、前記アップリンク搬送波構成に対応不可能な搬送波がビットマップ内に所定値2で示されるように、ビットマップ形式で示された複数の前記PDCCH受信にリスニングされる搬送波構成との対応関係、
前記PDCCH受信にリスニングされる搬送波構成に対応可能な搬送波がビットマップ内に所定値1で示され、前記PDCCH受信にリスニングされる搬送波構成に対応不可能な搬送波がビットマップ内に所定値2で示されるように、ビットマップ形式で示された複数の前記アップリンク搬送波構成と、一つの前記PDCCH受信にリスニングされる搬送波構成との対応関係のいずれか一つ又はその組み合わせを含む請求項19に記載の方法。
【請求項２１】
前記端末が、所定のアルゴリズムに基づいて、アップリンク搬送波構成のうちのi番目の搬送波を選択してランダムアクセスを始めると特定した場合、対応関係が存在するPDCCH受信にリスニングされる搬送波構成から、j番目の搬送波を選択してPDCCHのリスニング及び受信を行うことをさらに含む請求項19に記載の方法。
【請求項２２】
前記所定のアルゴリズムは、
Npd=Npaの場合、j=iになるが、
Npd≠Npaの場合、j=(i+k0*Ns)mod Npd+NO(ここで、Npdは対応関係が存在するPDCCH受信にリスニングされる搬送波構成のうちの搬送波総数であり、Npaはランダムアクセス搬送波構成のうちの搬送波総数、若しくは、対応関係が存在するアップリンク搬送波構成のうちの搬送波総数であり、Nsはi番目の搬送波のランダムアクセス搬送波構成のうちの副搬送波id因子又はそれを入力とした関数、若しくは、端末の現在のカバレッジレベル因子又はそれを入力とした関数であり、K0、N0は所定の常数である。)になることを含む請求項14又は21に記載の方法。
【請求項２３】
前記所定のアルゴリズムは、
Npd=Npaの場合、j=iになるが、
Npd≠Npaの場合、i番目の搬送波のNs値の有効値を、各セグメントのIDが小さい順にM1、M2、…MNpdと示されたNpdセグメントに分け、端末がi番目の搬送波でランダムアクセスを始める場合、選択したランダムアクセスリソースのうちのNs値がM1、M2、…MNpdのうちの一つのセグメント、例えば第Mjセグメントに含まれることに応じて、j番目の搬送波を、PDCCH受信にリスニングされる搬送波として選択する(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Nsはランダムアクセス搬送波構成のうちの副搬送波id因子又はそれを入力とした関数、若しくは、端末の現在のカバレッジレベル因子又はそれを入力とした関数である。)ことを含む請求項14又は21に記載の方法。
【請求項２４】
前記所定のアルゴリズムは、
Npd=Npaの場合、j=iになるが、
Npd≠Npaの場合、j=(i+k1*T)mod Npd+N1(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Tは時間領域因子であり、k1、N1は所定の常数である。)になることを含む請求項14又は21に記載の方法。
【請求項２５】
前記時間領域因子Tは、
選択されたランダムアクセスリソースの一つ目の無線フレーム番号、選択されたランダムアクセスリソースの一つ目の無線サブフレーム番号、ランダムアクセスプリアンブルを送信する一つ目の無線フレーム番号、ランダムアクセスプリアンブルを送信する一つ目の無線サブフレーム番号のうちの一つを含む請求項24に記載の方法。
【請求項２６】
前記N0=1であり、前記N1=1であり、前記k0はiの最大値を取り、前記k1はiの最大値を取り、前記i、jの最小値は1である請求項15、16、17、18、22、23、24のいずれか一項に記載の方法。
【請求項２７】
前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む請求項1〜4のいずれか一項に記載の方法。
【請求項２８】
前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、バンド特徴パラメータを含み、
前記搬送波特徴パラメータは、ガードバンド、インバンド、スタンドアロンバンドのうちの一つを含む請求項1〜4のいずれか一項に記載の方法。
【請求項２９】
前記ノンアンカー搬送波のランダムアクセスリソース構成リストは、少なくとも一つの無線カバレッジレベルに対応するランダムアクセスリソース構成のエントリーを含む請求項2に記載の方法。
【請求項３０】
前記ノンアンカー搬送波構成にランダムアクセスリソース構成が含まれなければ、ノンアンカー搬送波のランダムアクセスリソース構成がアンカー搬送波と同一であることをデフォルトにする請求項1〜4のいずれか一項に記載の方法。
【請求項３１】
異なるノンアンカー搬送波のランダムアクセスリソース構成間は、同一、又は異なる請求項1〜4のいずれか一項に記載の方法。
【請求項３２】
前記他の物理層パラメータは、ダウンリンクサブフレーム構成、ダウンリンク伝送間隔構成、インバンド動作方式での進化型地上無線アクセスE-UTRA制御エリアのサイズのいずれか一つ又はその組み合わせを含む請求項27に記載の方法。
【請求項３３】
ネットワーク機器から放送され、ノンアンカー搬送波の無線カバレッジレベルRSRP閾値とアンカー搬送波の無線カバレッジレベルRSRP閾値との差を、前記端末が受信することをさらに含む請求項1〜4のいずれか一項に記載の方法。
【請求項３４】
ネットワーク機器が、端末に放送するノンアンカー搬送波構成であって、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を特定することと、
ネットワーク機器が、前記ノンアンカー搬送波構成を端末に放送することとを含むネットワークシステムリソース構成の伝送方法。
【請求項３５】
前記ノンアンカー搬送波構成は、
ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む請求項34に記載の方法。
【請求項３６】
各無線カバレッジレベルに対応するランダムアクセス搬送波構成を、前記ネットワーク機器から前記端末に放送することをさらに含み、
前記ランダムアクセス搬送波構成は、
少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む請求項34に記載の方法。
【請求項３７】
前記ネットワーク機器から、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末に放送すること、若しくは、
前記ネットワーク機器から、第1アンカー搬送波によってページングリスニングを行うよう前記端末に指示することに用いられる第3指示情報を、前記端末に放送すること、若しくは、
前記ネットワーク機器から、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末に放送すること、若しくは、
前記ネットワーク機器から、ページングリスニング用のリソースにアンカー搬送波が含まれるか否かを前記端末に指示することに用いられる第7指示情報を、前記端末に放送することをさらに含む請求項34又は35に記載の方法。
【請求項３８】
前記ネットワーク機器から、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末に放送すること、若しくは、
前記ネットワーク機器から、第2アンカー搬送波によってランダムアクセスを行うよう前記端末に指示することに用いられる第4指示情報を、前記端末に放送すること、若しくは、
前記ネットワーク機器から、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末に放送すること、若しくは、
前記ネットワーク機器から、ランダムアクセスを行うリソースにアンカー搬送波が含まれるか否かを前記端末に指示することに用いられる第8指示情報を、前記端末に放送することをさらに含む請求項34〜36のいずれか一項に記載の方法。
【請求項３９】
前記ネットワーク機器から、各無線カバレッジレベルに対応する物理ダウンリンク制御チャネルPDCCH受信にリスニングされる搬送波構成を、前記端末に放送することをさらに含み、
前記PDCCH受信にリスニングされる搬送波構成は、
少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む請求項34に記載の方法。
【請求項４０】
前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む請求項34〜36のいずれか一項に記載の方法。
【請求項４１】
前記ノンアンカー搬送波のランダムアクセスリソース構成リストは、少なくとも一つの無線カバレッジレベルに対応するランダムアクセスリソース構成のエントリーを含む請求項40に記載の方法。
【請求項４２】
前記ノンアンカー搬送波構成にランダムアクセスリソース構成が含まれなければ、ノンアンカー搬送波のランダムアクセスリソース構成がアンカー搬送波と同一であることをデフォルトにする請求項34〜36のいずれか一項に記載の方法。
【請求項４３】
異なるノンアンカー搬送波のランダムアクセスリソース構成間は、同一、又は異なる請求項34〜36のいずれか一項に記載の方法。
【請求項４４】
前記他の物理層パラメータは、ダウンリンクサブフレーム構成、ダウンリンク伝送間隔構成、インバンド動作方式での進化型地上無線アクセスE-UTRA制御エリアのサイズのいずれか一つ又はその組み合わせを含む請求項40に記載の方法。
【請求項４５】
前記ネットワーク機器から、ノンアンカー搬送波の無線カバレッジレベルRSRP閾値とアンカー搬送波の無線カバレッジレベルRSRP閾値との差を、前記端末に放送することをさらに含む請求項34〜36のいずれか一項に記載の方法。
【請求項４６】
ネットワーク機器から放送され、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を受信するように設定された受信モジュールと、
前記ノンアンカー搬送波構成に基づいて、前記ネットワーク機器とランダムアクセス又はページングリスニングを行うリソース情報を特定するように設定された特定モジュールとを含むネットワークシステムリソース構成の取得装置。
【請求項４７】
端末に放送するノンアンカー搬送波構成であって、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を特定するように設定された特定モジュールと、
前記ノンアンカー搬送波構成を端末に放送するように設定された放送モジュールとを含むネットワークシステムリソース構成の伝送装置。
【請求項４８】
前記請求項46に記載のネットワークシステムリソース構成の取得装置、及び前記請求項47に記載のネットワークシステムリソース構成の伝送装置を含むネットワークシステムリソース構成の取得システム。
【請求項４９】
プロセッサ、及び、前記プロセッサによって実行可能な指令が格納されたメモリを含む端末であって、
前記指令がプロセッサによって実行されると、
ネットワーク機器から放送され、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を受信することと、
前記ノンアンカー搬送波構成に基づいて、前記ネットワーク機器とランダムアクセス又はページングリスニングを行うリソース情報を特定することを実行する端末。
【請求項５０】
前記ノンアンカー搬送波構成は、
ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む請求項49に記載の端末。
【請求項５１】
前記ノンアンカー搬送波構成は、
ノンアンカー搬送波のページングパラメータ構成リスト、ダウンリンクノンアンカー搬送波のページングパラメータ構成リストのいずれか一つ又はその組み合わせをさらに含む請求項49に記載の端末。
【請求項５２】
前記ノンアンカー搬送波構成は、
ノンアンカー搬送波をランダムアクセスに用いることが可能か否かをノンアンカー搬送波ごとに構成した指示、
ノンアンカー搬送波をページングリスニングに用いることが可能か否かをノンアンカー搬送波ごとに構成した指示、
ノンアンカー搬送波を物理ダウンリンク制御チャネルPDCCHのリスニング及び受信に用いることが可能か否かをノンアンカー搬送波ごとに構成した指示のいずれか一つ又はその組み合わせをさらに含み、
前記ノンアンカー搬送波は、
ノンアンカー搬送波、アップリンクノンアンカー搬送波、ダウンリンクノンアンカー搬送波のいずれか一つを含む請求項49に記載の端末。
【請求項５３】
ページングリスニングに利用可能に構成されたノンアンカー搬送波に対し、
前記ノンアンカー搬送波構成は、
ノンアンカー搬送波のページングパラメータ構成リスト、ダウンリンクノンアンカー搬送波のページングパラメータ構成リストのいずれか一つ又はその組み合わせをさらに含む請求項49〜52のいずれか一項に記載の端末。
【請求項５４】
前記ページングパラメータ構成リストは、
ノンアンカー搬送波に共通の搬送波選択加重因子又はノンアンカー搬送波ごとに構成した搬送波選択加重因子、
ノンアンカー搬送波に共通の不連続受信DRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む請求項51に記載の端末。
【請求項５５】
ネットワーク機器から放送され、各無線カバレッジレベルに対応するランダムアクセス搬送波構成を受信することをさらに実行し、
前記ランダムアクセス搬送波構成は、
少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む請求項49に記載の端末。
【請求項５６】
ネットワーク機器から放送され、各無線カバレッジレベルに対応するページング搬送波構成を受信することをさらに実行し、
前記ページング搬送波構成は、
少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リスト、前記中心周波数又は中心周波数リストに対応するページングリソース構成のいずれか一つ又はその組み合わせを含む請求項49〜51のいずれか一項に記載の端末。
【請求項５７】
前記ページング搬送波構成は、
ノンアンカー搬送波に共通の搬送波選択加重因子又はノンアンカー搬送波ごとに構成した搬送波選択加重因子、
ノンアンカー搬送波に共通のDRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む請求項56に記載の端末。
【請求項５８】
前記搬送波特徴パラメータは、
ガードバンド、インバンド、スタンドアロンバンドのうちの一つを含む請求項57に記載のいずれかの端末。
【請求項５９】
前記ネットワーク機器から放送された第1指示情報であって、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を取得すること、若しくは、
前記ネットワーク機器から放送された第3指示情報であって、第1アンカー搬送波によってページングリスニングを行うよう前記端末に指示することに用いられる第3指示情報を取得すること、若しくは、
前記ネットワーク機器から放送された第5指示情報であって、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を取得すること、若しくは、
前記ネットワーク機器から放送された第7指示情報であって、ページングリスニング用のリソースにアンカー搬送波が含まれるか否かを前記端末に指示することに用いられる第7指示情報を取得することをさらに実行する請求項49又は50に記載の端末。
【請求項６０】
前記ネットワーク機器から放送された第2指示情報であって、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を取得すること、若しくは、
前記ネットワーク機器から放送された第4指示情報であって、第2アンカー搬送波によってランダムアクセスを行うよう前記端末に指示することに用いられる第4指示情報を取得すること、若しくは、
前記ネットワーク機器から放送された第6指示情報であって、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を取得すること、若しくは、
前記ネットワーク機器から放送された第8指示情報であって、ランダムアクセスを行うリソースにアンカー搬送波が含まれるか否かを前記端末に指示することに用いられる第8指示情報を取得することをさらに実行する請求項49〜51のいずれか一項に記載の端末。
【請求項６１】
ネットワーク機器から放送され、各無線カバレッジレベルに対応する物理ダウンリンク制御チャネルPDCCH受信にリスニングされる搬送波構成を受信することをさらに実行し、
前記PDCCH受信にリスニングされる搬送波構成は、
少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む請求項49に記載の端末。
【請求項６２】
所定のアルゴリズムに基づいて、ランダムアクセス搬送波構成のうちのi番目の搬送波を選択してランダムアクセスを始めると特定した場合、PDCCH受信にリスニングされる搬送波構成から、j番目の搬送波を選択してPDCCHのリスニング及び受信を行うことをさらに実行する請求項49〜51のいずれか一項に記載の端末。
【請求項６３】
前記所定のアルゴリズムは、
【数３】
2019528020.tif 000030
(ここで、NpdはPDCCH受信にリスニングされる搬送波構成のうちの搬送波総数であり、Npaはランダムアクセス搬送波構成のうちの搬送波総数であり、i、jは最小値を1とする。)を含む請求項62に記載の端末。
【請求項６４】
前記所定のアルゴリズムは、
j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)を含む請求項62に記載の端末。
【請求項６５】
前記所定のアルゴリズムは、
Npd=Npaの場合、j=iになるが、
Npd≠Npaの場合、j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)になることを含む請求項62に記載の端末。
【請求項６６】
前記所定のアルゴリズムは、
Npd=Npaの場合、j=iになるが、
Npd≠Npaの場合、
【数４】
2019528020.tif 000031
(ここで、NpdはPDCCH受信にリスニングされる搬送波構成のうちの搬送波総数であり、Npaはランダムアクセス搬送波構成のうちの搬送波総数であり、i、jは最小値を1とする。)になることを含む請求項62に記載の端末。
【請求項６７】
ネットワーク機器から放送され、各ノンアンカー搬送波、各無線カバレッジレベルのいずれかの情報に対応するアップリンク搬送波構成とPDCCH受信にリスニングされる搬送波構成との対応関係の情報を、前記端末が受信することをさらに実行し、
前記アップリンク搬送波構成は、
少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リストのいずれか一つ又はその組み合わせを含み、
前記PDCCH受信にリスニングされる搬送波構成は、
少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む請求項49又は50に記載の端末。
【請求項６８】
前記対応関係に基づいて、端末があるアップリンク搬送波を選択してランダムアクセスを始める場合、対応関係を有する前記PDCCH受信にリスニングされる搬送波構成を選択してPDCCHのリスニング及び受信を行うことをさらに実行し、
前記対応関係は、少なくとも、
一つの前記アップリンク搬送波構成と一つの前記PDCCH受信にリスニングされる搬送波構成との対応関係、
一つの前記アップリンク搬送波構成と、前記アップリンク搬送波構成に対応可能な搬送波がビットマップ内に所定値1で示され、前記アップリンク搬送波構成に対応不可能な搬送波がビットマップ内に所定値2で示されるように、ビットマップ形式で示された複数の前記PDCCH受信にリスニングされる搬送波構成との対応関係、
前記PDCCH受信にリスニングされる搬送波構成に対応可能な搬送波がビットマップ内に所定値1で示され、前記PDCCH受信にリスニングされる搬送波構成に対応不可能な搬送波がビットマップ内に所定値2で示されるように、ビットマップ形式で示された複数の前記アップリンク搬送波構成と、一つの前記PDCCH受信にリスニングされる搬送波構成との対応関係のいずれか一つ又はその組み合わせを含む請求項67に記載の端末。
【請求項６９】
所定のアルゴリズムに基づいて、アップリンク搬送波構成のうちのi番目の搬送波を選択してランダムアクセスを始めると特定した場合、対応関係が存在するPDCCH受信にリスニングされる搬送波構成から、j番目の搬送波を選択してPDCCHのリスニング及び受信を行うことをさらに実行する請求項67に記載の端末。
【請求項７０】
前記所定のアルゴリズムは、
Npd=Npaの場合、j=iになるが、
Npd≠Npaの場合、j=(i+k0*Ns)mod Npd+NO(ここで、Npdは対応関係が存在するPDCCH受信にリスニングされる搬送波構成のうちの搬送波総数であり、Npaはランダムアクセス搬送波構成のうちの搬送波総数、若しくは、対応関係が存在するアップリンク搬送波構成のうちの搬送波総数であり、Nsはi番目の搬送波のランダムアクセス搬送波構成のうちの副搬送波id因子又はそれを入力とした関数、若しくは、端末の現在のカバレッジレベル因子又はそれを入力とした関数であり、K0、N0は所定の常数である。)になることを含む請求項62又は69に記載の端末。
【請求項７１】
前記所定のアルゴリズムは、
Npd=Npaの場合、j=iになるが、
Npd≠Npaの場合、i番目の搬送波のNs値の有効値を、各セグメントのIDが小さい順にM1、M2、…MNpdと示されたNpdセグメントに分け、端末がi番目の搬送波でランダムアクセスを始める場合、選択したランダムアクセスリソースのうちのNs値がM1、M2、…MNpdのうちの一つのセグメント、例えば第Mjセグメントに含まれることに応じて、j番目の搬送波を、PDCCH受信にリスニングされる搬送波として選択する(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Nsはランダムアクセス搬送波構成のうちの副搬送波id因子又はそれを入力とした関数、若しくは、端末の現在のカバレッジレベル因子又はそれを入力とした関数である)ことを含む請求項62又は69に記載の端末。
【請求項７２】
前記所定のアルゴリズムは、
Npd=Npaの場合、j=iになるが、
Npd≠Npaの場合、j=(i+k1*T)mod Npd+N1(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Tは時間領域因子であり、k1、N1は所定の常数である。)になることを含む請求項62又は69に記載の端末。
【請求項７３】
前記時間領域因子Tは、
選択されたランダムアクセスリソースの一つ目の無線フレーム番号、選択されたランダムアクセスリソースの一つ目の無線サブフレーム番号、ランダムアクセスプリアンブルを送信する一つ目の無線フレーム番号、ランダムアクセスプリアンブルを送信する一つ目の無線サブフレーム番号のうちの一つを含む請求項72に記載の端末。
【請求項７４】
前記N0=1であり、前記N1=1であり、前記k0は、iの最大値を取り、前記k1は、iの最大値を取り、前記i、jの最小値は、1である請求項63、64、65、66、70、71、72のいずれか一項に記載の端末。
【請求項７５】
プロセッサ、及び、前記プロセッサによって実行可能な指令が格納されたメモリを含むネットワーク機器であって、
前記指令がプロセッサによって実行されると、
端末に放送するノンアンカー搬送波構成であって、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を特定することと、
前記ノンアンカー搬送波構成を端末に放送することとを実行するネットワーク機器。
【請求項７６】
前記ノンアンカー搬送波構成は、
ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む請求項75に記載のネットワーク機器。
【請求項７７】
各無線カバレッジレベルに対応するランダムアクセス搬送波構成を前記端末に放送することをさらに実行し、
前記ランダムアクセス搬送波構成は、
少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む請求項75に記載のネットワーク機器。
【請求項７８】
第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末に放送すること、若しくは、
第1アンカー搬送波によってページングリスニングを行うよう前記端末に指示することに用いられる第3指示情報を、前記端末に放送すること、若しくは、
システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末に放送すること、若しくは、
ページングリスニング用のリソースにアンカー搬送波が含まれるか否かを前記端末に指示することに用いられる第7指示情報を、前記端末に放送することをさらに実行する請求項75又は76に記載のネットワーク機器。
【請求項７９】
第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末に放送すること、若しくは、
第2アンカー搬送波によってランダムアクセスを行うよう前記端末に指示することに用いられる第4指示情報を、前記端末に放送すること、若しくは、
ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末に放送すること、若しくは、
ランダムアクセスを行うリソースにアンカー搬送波が含まれるか否かを前記端末に指示することに用いられる第8指示情報を、前記端末に放送することをさらに実行する請求項75〜77のいずれか一項に記載のネットワーク機器。
【請求項８０】
各無線カバレッジレベルに対応する物理ダウンリンク制御チャネルPDCCH受信にリスニングされる搬送波構成を、前記端末に放送することをさらに実行し、
前記PDCCH受信にリスニングされる搬送波構成は、
少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む請求項75に記載のネットワーク機器。
【請求項８１】
前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む請求項75〜77のいずれか一項に記載のネットワーク機器。
【請求項８２】
前記ノンアンカー搬送波のランダムアクセスリソース構成リストは、少なくとも一つの無線カバレッジレベルに対応するランダムアクセスリソース構成のエントリーを含む請求項75に記載のネットワーク機器。
【請求項８３】
前記請求項49〜74のいずれか一項に記載の端末、及び、前記請求項75〜82のいずれか一項に記載のネットワーク機器を含むネットワークシステム。
【請求項８４】
プロセッサによって実行されると、前記請求項1に記載のネットワークシステムリソース構成の取得方法を実現させる、コンピュータで実行可能な指令が格納されたコンピュータ読み取り可能な記憶媒体。
【請求項８５】
プロセッサによって実行されると、前記請求項34に記載のネットワークシステムリソース構成の伝送方法を実現させる、コンピュータで実行可能な指令が格納されたコンピュータ読み取り可能な記憶媒体。
【発明の詳細な説明】
【技術分野】
【０００１】
本発明の実施例は、無線通信技術、特にネットワークシステムリソース構成の取得方法、端末、ネットワーク機器及びシステムに係るが、それらに限定されない。
【背景技術】
【０００２】
無線通信技術の発展につれて、第5世代移動通信技術(5G)の研究では、マシンタイプ通信(Machine Type Communication、以下、MTCと略称する)のサブトピック、すなわち狭帯域IoT(NarowBand-Internet of Things、以下、NB-IoTと略称する)が提案されている。NB-IoTは、200khzのバンドでNB-IoTの低コスト端末(User Equipment、以下、UEと略称する)に対し、低スループットの無線通信サービスを提供する。
【０００３】
従来技術において、200khzスペクトル帯域幅のシングルキャリアセルの容量が小さく、大量のNB-IoT端末のサービス伝送のサポートが難しいということを考慮し、同一基地局の配下で同一領域をカバーする複数のシングルキャリアセルを一つのマルチキャリアセルにアグリゲートするマルチキャリアセルポリシーが導入されている。ここで、当該複数のシングルキャリア(carrier)は、一つの物理セルIDを共有し、一つのシングルキャリアのみで放送チャネルと同期チャネルを伝送する。当該シングルキャリアは、アンカー搬送波(anchor carrier)と称される。それ以外の複数のシングルキャリアは、アップリンク/ダウンリンクサービスチャネル伝送の提供に用いられ、これら複数のシングルキャリアはノンアンカー搬送波(non-anchor carrier)と称される。
【発明の概要】
【発明が解決しようとする課題】
【０００４】
マルチキャリアセルポリシーの実施において、出願人は、大量の端末が同時にページングをリスニングし又は同時にランダムアクセスを始めるシーンで、端末が一つのシングルキャリア、すなわちアンカー搬送波でしかページングをリスニングし、ランダムアクセスを始めることができないため、ネットワーク機器のページング及びランダムアクセス容量の能力が劣ってしまうことを発見した。
【課題を解決するための手段】
【０００５】
そこで、本発明の実施例は、ネットワークシステムリソース構成の取得方法、端末、ネットワーク機器及びシステムを提供する。
【０００６】
ネットワークシステムリソース構成の取得方法であって、
ネットワーク機器から放送され、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を、端末が受信することと、
端末が、前記ノンアンカー搬送波構成に基づいて、前記ネットワーク機器とランダムアクセス又はページングリスニングを行うリソース情報を特定することとを含む。
【０００７】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力(Reference Signal Receiving Power、以下、RSRPと略称する)閾値リスト、ダウンリンクノンアンカー搬送波の無線カバレッジレベルRSRP閾値リストのいずれか一つ又はその組み合わせをさらに含む。
【０００８】
一つの例示的な実施形態において、前記ノンアンカー搬送波構成は、ノンアンカー搬送波のページングパラメータ構成リスト、ダウンリンクノンアンカー搬送波のページングパラメータ構成リストのいずれか一つ又はその組み合わせをさらに含む。
【０００９】
一つの例示的な実施形態において、前記ノンアンカー搬送波構成は、
ノンアンカー搬送波をランダムアクセスに用いることが可能か否かをノンアンカー搬送波ごとに構成した指示、
ノンアンカー搬送波をページングリスニングに用いることが可能か否かをノンアンカー搬送波ごとに構成した指示、
ノンアンカー搬送波を物理ダウンリンク制御チャネル(Physical Downlink Control Channel、以下、PDCCHと略称する)のリスニング及び受信に用いることが可能か否かをノンアンカー搬送波ごとに構成した指示のいずれか一つ又はその組み合わせをさらに含み、
前記ノンアンカー搬送波は、ノンアンカー搬送波、アップリンクノンアンカー搬送波、ダウンリンクノンアンカー搬送波のいずれか一つを含む。
【００１０】
一つの例示的な実施形態において、ページングリスニングに利用可能に構成されたノンアンカー搬送波に対し、前記ノンアンカー搬送波構成は、ノンアンカー搬送波のページングパラメータ構成リスト、ダウンリンクノンアンカー搬送波のページングパラメータ構成リストのいずれか一つ又はその組み合わせをさらに含む。
【００１１】
一つの例示的な実施形態において、前記ページングパラメータ構成リストは、
ノンアンカー搬送波に共通の搬送波選択加重因子又はノンアンカー搬送波ごとに構成した搬送波選択加重因子、
ノンアンカー搬送波に共通の不連続受信(Discontinuous Reception  、以下、DRXと略称する)周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む。
【００１２】
一つの例示的な実施形態において、前記方法は、ネットワーク機器から放送され、各無線カバレッジレベルに対応するランダムアクセス搬送波構成を、前記端末が受信することをさらに含む。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【００１３】
一つの例示的な実施形態において、前記方法は、ネットワーク機器から放送され、各無線カバレッジレベルに対応するページング搬送波構成を、前記端末が受信することをさらに含む。前記ページング搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リスト、前記中心周波数又は中心周波数リストに対応するページングリソース構成のいずれか一つ又はその組み合わせを含む。
【００１４】
一つの例示的な実施形態において、前記ページング搬送波構成は、
ノンアンカー搬送波に共通の搬送波選択加重因子又はノンアンカー搬送波ごとに構成した搬送波選択加重因子、
ノンアンカー搬送波に共通のDRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む。
【００１５】
一つの例示的な実施形態において、前記搬送波特徴パラメータは、ガードバンド(guard band)、インバンド(in-band)、スタンドアロンバンド(standlone band)のうちの一つを含む。
【００１６】
一つの例示的な実施形態において、前記方法は、
前記ネットワーク機器から放送された第1指示情報であって、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末が取得すること、若しくは、
前記ネットワーク機器から放送された第3指示情報であって、第1アンカー搬送波によってページングリスニングを行うよう前記端末に指示することに用いられる第3指示情報を、前記端末が取得すること、若しくは、
前記ネットワーク機器から放送された第5指示情報であって、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末が取得すること、若しくは、
前記ネットワーク機器から放送された第7指示情報であって、ページングリスニング用のリソースにアンカー搬送波が含まれるか否かを前記端末に指示することに用いられる第7指示情報を、前記端末が取得することをさらに含む。
【００１７】
一つの例示的な実施形態において、前記方法は、
前記ネットワーク機器から放送された第2指示情報であって、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末が取得すること、若しくは、
前記ネットワーク機器から放送された第4指示情報であって、第2アンカー搬送波によってランダムアクセスを行うよう前記端末に指示することに用いられる第4指示情報を、前記端末が取得すること、若しくは、
前記ネットワーク機器から放送された第6指示情報であって、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末が取得すること、若しくは、
前記ネットワーク機器から放送された第8指示情報であって、ランダムアクセスを行うリソースにアンカー搬送波が含まれるか否かを前記端末に指示することに用いられる第8指示情報を、前記端末が取得することをさらに含む。
【００１８】
一つの例示的な実施形態において、前記方法は、ネットワーク機器から放送され、各無線カバレッジレベルに対応する物理ダウンリンク制御チャネルPDCCH受信にリスニングされる搬送波構成を、前記端末が受信することをさらに含む。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【００１９】
一つの例示的な実施形態において、前記方法は、前記端末が、所定のアルゴリズムに基づいて、ランダムアクセス搬送波構成のうちのi番目の搬送波を選択してランダムアクセスを始めると特定した場合、PDCCH受信にリスニングされる搬送波構成から、j番目の搬送波を選択してPDCCHのリスニング及び受信を行うことをさらに含む。
【００２０】
一つの例示的な実施形態において、前記所定のアルゴリズムは、
【００２１】
【数１】
2019528020.tif 000003
(ここで、NpdはPDCCH受信にリスニングされる搬送波構成のうちの搬送波総数であり、Npaはランダムアクセス搬送波構成のうちの搬送波総数であり、i、jは最小値を1とする。)を含む。
【００２２】
一つの例示的な実施形態において、前記所定のアルゴリズムは、
j=(i+Noffset)modNpd (ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)を含む。
【００２３】
一つの例示的な実施形態において、前記所定のアルゴリズムは、
Npd=Npaの場合、j=iになるが、
Npd≠Npaの場合、j=(i+Noffset)modNpd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)になることを含む。
【００２４】
一つの例示的な実施形態において、前記所定のアルゴリズムは、
Npd=Npaの場合、j=iになるが、
Npd≠Npaの場合、
【００２５】
【数２】
2019528020.tif 000004
(ここで、NpdはPDCCH受信にリスニングされる搬送波構成のうちの搬送波総数であり、Npaはランダムアクセス搬送波構成のうちの搬送波総数であり、i、jは最小値を1とする。)になることを含む。
【００２６】
一つの例示的な実施形態において、前記方法は、ネットワーク機器から放送され、各ノンアンカー搬送波、各無線カバレッジレベルのいずれかの情報に対応するアップリンク搬送波構成とPDCCH受信にリスニングされる搬送波構成との対応関係の情報を、前記端末が受信することをさらに含む。
前記アップリンク搬送波構成は、少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リストのいずれか一つ又はその組み合わせを含む。
前記PDCCH受信にリスニングされる搬送波構成は、少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【００２７】
一つの例示的な実施形態において、前記方法は、前記対応関係に基づいて、端末があるアップリンク搬送波を選択してランダムアクセスを始める場合、対応関係を有する前記PDCCH受信にリスニングされる搬送波構成を選択してPDCCHのリスニング及び受信を行うことをさらに含む。前記対応関係は、少なくとも、一つの前記アップリンク搬送波構成と一つの前記PDCCH受信にリスニングされる搬送波構成との対応関係、
一つの前記アップリンク搬送波構成と、前記アップリンク搬送波構成に対応可能な搬送波がビットマップ内に所定値1で示され、前記アップリンク搬送波構成に対応不可能な搬送波がビットマップ内に所定値2で示されるように、ビットマップ形式で示された複数の前記PDCCH受信にリスニングされる搬送波構成との対応関係、
前記PDCCH受信にリスニングされる搬送波構成に対応可能な搬送波がビットマップ内に所定値1で示され、前記PDCCH受信にリスニングされる搬送波構成に対応不可能な搬送波がビットマップ内に所定値2で示されるように、ビットマップ形式で示された複数の前記アップリンク搬送波構成と、一つの前記PDCCH受信にリスニングされる搬送波構成との対応関係のいずれか一つ又はその組み合わせを含む。
【００２８】
一つの例示的な実施形態において、前記方法は、前記端末が、所定のアルゴリズムに基づいて、アップリンク搬送波構成のうちのi番目の搬送波を選択してランダムアクセスを始めると特定した場合、対応関係が存在するPDCCH受信にリスニングされる搬送波構成から、j番目の搬送波を選択してPDCCHのリスニング及び受信を行うことをさらに含む。
【００２９】
一つの例示的な実施形態において、前記所定のアルゴリズムは、
Npd=Npaの場合、j=iになるが、
Npd≠Npaの場合、j=(i+k0*Ns)mod Npd+NO(ここで、Npdは対応関係が存在するPDCCH受信にリスニングされる搬送波構成のうちの搬送波総数であり、Npaはランダムアクセス搬送波構成のうちの搬送波総数、若しくは、対応関係が存在するアップリンク搬送波構成のうちの搬送波総数であり、Nsはi番目の搬送波のランダムアクセス搬送波構成のうちの副搬送波id（identity）因子又はそれを入力とした関数、若しくは、端末の現在のカバレッジレベル因子又はそれを入力とした関数であり、k0、N0は所定の常数である。)になることを含む。
【００３０】
一つの例示的な実施形態において、前記所定のアルゴリズムは、
Npd=Npaの場合、j=iになるが、
Npd≠Npaの場合、i番目の搬送波のNs値の有効値を、各セグメントのIDが小さい順にM1、M2、…MNpdと示されたNpdセグメントに分け、端末がi番目の搬送波でランダムアクセスを始める場合、選択したランダムアクセスリソースのうちのNs値がM1、M2、…MNpdのうちの一つのセグメント、例えば第Mjセグメントに含まれることに応じて、j番目の搬送波を、PDCCH受信にリスニングされる搬送波として選択する(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Nsはランダムアクセス搬送波構成のうちの副搬送波id因子又はそれを入力とした関数、若しくは、端末の現在のカバレッジレベル因子又はそれを入力とした関数である。)ことを含む。
【００３１】
一つの例示的な実施形態において、前記所定のアルゴリズムは、
Npd=Npaの場合、j=iになるが、
Npd≠Npaの場合、j=(i+k1*T)mod Npd+N1(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Tは時間領域因子であり、k1、N1は所定の常数である。)になることを含む。
【００３２】
一つの例示的な実施形態において、前記時間領域因子Tは、選択されたランダムアクセスリソースの一つ目の無線フレーム番号、選択されたランダムアクセスリソースの一つ目の無線サブフレーム番号、ランダムアクセスプリアンブルを送信する一つ目の無線フレーム番号、ランダムアクセスプリアンブルを送信する一つ目の無線サブフレーム番号のうちの一つを含む。
【００３３】
一つの例示的な実施形態において、前記N0=1であり、前記N1=1であり、前記k0は、iの最大値を取り、前記k1は、iの最大値を取り、前記i、jの最小値は、1である。
【００３４】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む。
【００３５】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、バンド特徴パラメータを含み、前記搬送波特徴パラメータは、ガードバンド(guard band)、インバンド(in-band)、スタンドアロンバンド(standlone band)のうちの一つを含む。
【００３６】
一つの例示的な実施形態において、前記ノンアンカー搬送波のランダムアクセスリソース構成リストは、少なくとも一つの無線カバレッジレベルに対応するランダムアクセスリソース構成のエントリーを含む。
【００３７】
一つの例示的な実施形態において、前記ノンアンカー搬送波構成にランダムアクセスリソース構成が含まれなければ、ノンアンカー搬送波のランダムアクセスリソース構成がアンカー搬送波と同一であることをデフォルトにする。
【００３８】
一つの例示的な実施形態において、異なるノンアンカー搬送波のランダムアクセスリソース構成間は、同一、又は異なる。
【００３９】
一つの例示的な実施形態において、前記他の物理層パラメータは、ダウンリンクサブフレーム構成、ダウンリンク伝送間隔構成、インバンド(in-band)動作方式での進化型地上無線アクセス(Evolved Universal Terrestrial Radio Access、以下、E-UTRAと略称する)制御エリアのサイズのいずれか一つ又はその組み合わせを含む。
【００４０】
一つの例示的な実施形態において、前記方法は、ネットワーク機器から放送されるノンアンカー搬送波の無線カバレッジレベルRSRP閾値とアンカー搬送波の無線カバレッジレベルRSRP閾値との差を、前記端末が受信することをさらに含む。
【００４１】
本発明の実施例は、ネットワーク機器が、端末に放送するノンアンカー搬送波構成であって、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を特定することと、ネットワーク機器が、前記ノンアンカー搬送波構成を端末に放送することとを含むネットワークシステムリソース構成の伝送方法をさらに提供する。
【００４２】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力(RSRP)閾値リスト、ダウンリンクノンアンカー搬送波の無線カバレッジレベルRSRP閾値リストのいずれか一つ又はその組み合わせをさらに含む。
【００４３】
一つの例示的な実施形態において、前記方法は、各無線カバレッジレベルに対応するランダムアクセス搬送波構成を、前記ネットワーク機器から前記端末に放送することをさらに含む。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【００４４】
一つの例示的な実施形態において、前記方法は、
前記ネットワーク機器から、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末に放送すること、若しくは、
前記ネットワーク機器から、第1アンカー搬送波によってページングリスニングを行うよう前記端末に指示することに用いられる第3指示情報を、前記端末に放送すること、若しくは、
前記ネットワーク機器から、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末に放送すること、若しくは、
前記ネットワーク機器から、ページングリスニング用のリソースにアンカー搬送波が含まれるか否かを前記端末に指示することに用いられる第7指示情報を、前記端末に放送することをさらに含む。
【００４５】
一つの例示的な実施形態において、前記方法は、
前記ネットワーク機器から、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末に放送すること、若しくは、
前記ネットワーク機器から、第2アンカー搬送波によってランダムアクセスを行うよう前記端末に指示することに用いられる第4指示情報を、前記端末に放送すること、若しくは、
前記ネットワーク機器から、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末に放送すること、若しくは、
前記ネットワーク機器から、ランダムアクセスを行うリソースにアンカー搬送波が含まれるか否かを前記端末に指示することに用いられる第8指示情報を、前記端末に放送することをさらに含む。
【００４６】
一つの例示的な実施形態において、前記方法は、前記ネットワーク機器から、各無線カバレッジレベルに対応する物理ダウンリンク制御チャネルPDCCH受信にリスニングされる搬送波構成を、前記端末に放送することをさらに含む。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【００４７】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む。
【００４８】
一つの例示的な実施形態において、前記ノンアンカー搬送波のランダムアクセスリソース構成リストは、少なくとも一つの無線カバレッジレベルに対応するランダムアクセスリソース構成のエントリーを含む。
【００４９】
一つの例示的な実施形態において、前記ノンアンカー搬送波構成にランダムアクセスリソース構成が含まれなければ、ノンアンカー搬送波のランダムアクセスリソース構成がアンカー搬送波と同一であることをデフォルトにする。
【００５０】
一つの例示的な実施形態において、異なるノンアンカー搬送波のランダムアクセスリソース構成間は、同一、又は異なる。
【００５１】
一つの例示的な実施形態において、前記他の物理層パラメータは、ダウンリンクサブフレーム構成、ダウンリンク伝送間隔構成、インバンド(in-band)動作方式での進化型地上無線アクセスE-UTRA制御エリアのサイズのいずれか一つ又はその組み合わせを含む。
【００５２】
一つの例示的な実施形態において、前記方法は、前記ネットワーク機器から、ノンアンカー搬送波の無線カバレッジレベルRSRP閾値とアンカー搬送波の無線カバレッジレベルRSRP閾値との差を、前記端末に放送することをさらに含む。
【００５３】
本発明の実施例は、プロセッサによって実行されると、前記ネットワークシステムリソース構成の取得方法を実現させる、コンピュータで実行可能な指令が格納されたコンピュータ読み取り可能な記憶媒体をさらに提供する。
【００５４】
本発明の実施例は、プロセッサによって実行されると、前記ネットワークシステムリソース構成の伝送方法を実現させる、コンピュータで実行可能な指令が格納されたコンピュータ読み取り可能な記憶媒体。
【００５５】
本発明の実施例は、ネットワーク機器から放送され、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を受信するように設定された受信モジュールと、
前記ノンアンカー搬送波構成に基づいて、前記ネットワーク機器とランダムアクセス又はページングリスニングを行うリソース情報を特定するように設定された特定モジュールとを含むネットワークシステムリソース構成の取得装置をさらに提供する。
【００５６】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む。
【００５７】
一つの例示的な実施形態において、前記ノンアンカー搬送波構成は、ノンアンカー搬送波のページングパラメータ構成リスト、ダウンリンクノンアンカー搬送波のページングパラメータ構成リストのいずれか一つ又はその組み合わせをさらに含む。
【００５８】
一つの例示的な実施形態において、前記ノンアンカー搬送波構成は、
ノンアンカー搬送波をランダムアクセスに用いることが可能か否かをノンアンカー搬送波ごとに構成した指示、
ノンアンカー搬送波をページングリスニングに用いることが可能か否かをノンアンカー搬送波ごとに構成した指示、
ノンアンカー搬送波を物理ダウンリンク制御チャネルPDCCHのリスニング及び受信に用いることが可能か否かをノンアンカー搬送波ごとに構成した指示のいずれか一つ又はその組み合わせをさらに含み、
前記ノンアンカー搬送波は、ノンアンカー搬送波、アップリンクノンアンカー搬送波、ダウンリンクノンアンカー搬送波のいずれか一つを含む。
【００５９】
一つの例示的な実施形態において、ページングリスニングに利用可能に構成されたノンアンカー搬送波に対し、前記ノンアンカー搬送波構成は、ノンアンカー搬送波のページングパラメータ構成リスト、ダウンリンクノンアンカー搬送波のページングパラメータ構成リストのいずれか一つ又はその組み合わせをさらに含む。
【００６０】
一つの例示的な実施形態において、前記ページングパラメータ構成リストは、
ノンアンカー搬送波に共通の搬送波選択加重因子又はノンアンカー搬送波ごとに構成した搬送波選択加重因子、
ノンアンカー搬送波に共通の不連続受信DRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む。
【００６１】
一つの例示的な実施形態において、前記受信モジュールは、さらに、ネットワーク機器から放送され、各無線カバレッジレベルに対応するランダムアクセス搬送波構成を受信するように設定される。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【００６２】
一つの例示的な実施形態において、前記受信モジュールは、さらに、ネットワーク機器から放送され、各無線カバレッジレベルに対応するページング搬送波構成を受信するように設定される。前記ページング搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リスト、前記中心周波数又は中心周波数リストに対応するページングリソース構成のいずれか一つ又はその組み合わせを含む。
【００６３】
一つの例示的な実施形態において、前記ページング搬送波構成は、
ノンアンカー搬送波に共通の搬送波選択加重因子又はノンアンカー搬送波ごとに構成した搬送波選択加重因子、
ノンアンカー搬送波に共通のDRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む。
【００６４】
一つの例示的な実施形態において、前記搬送波特徴パラメータは、ガードバンド(guard band)、インバンド(in-band)、スタンドアロンバンド(standlone band)のうちの一つを含む。
【００６５】
一つの例示的な実施形態において、前記受信モジュールは、さらに、
前記ネットワーク機器から放送された第1指示情報であって、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を取得するように設定され、若しくは、
前記ネットワーク機器から放送された第3指示情報であって、第1アンカー搬送波によってページングリスニングを行うよう前記端末に指示することに用いられる第3指示情報を取得するように設定され、若しくは、
前記ネットワーク機器から放送された第5指示情報であって、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を取得するように設定され、若しくは、
前記ネットワーク機器から放送された第7指示情報であって、ページングリスニング用のリソースにアンカー搬送波が含まれるか否かを前記端末に指示することに用いられる第7指示情報を取得するように設定される。
【００６６】
一つの例示的な実施形態において、前記受信モジュールは、さらに、
前記ネットワーク機器から放送された第2指示情報であって、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を取得するように設定され、若しくは、
前記ネットワーク機器から放送された第4指示情報であって、第2アンカー搬送波によってランダムアクセスを行うよう前記端末に指示することに用いられる第4指示情報を取得するように設定され、若しくは、
前記ネットワーク機器から放送された第6指示情報であって、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を取得するように設定され、若しくは、
前記ネットワーク機器から放送された第8指示情報であって、ランダムアクセスを行うリソースにアンカー搬送波が含まれるか否かを前記端末に指示することに用いられる第8指示情報を取得するように設定される。
【００６７】
一つの例示的な実施形態において、前記受信モジュールは、さらに、ネットワーク機器から放送され、各無線カバレッジレベルに対応する物理ダウンリンク制御チャネルPDCCH受信にリスニングされる搬送波構成を、受信するように設定される。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【００６８】
一つの例示的な実施形態において、前記受信モジュールは、さらに、所定のアルゴリズムに基づいて、ランダムアクセス搬送波構成のうちのi番目個の搬送波を選択してランダムアクセスを始めると特定した場合、PDCCH受信にリスニングされる搬送波構成から、j番目の搬送波を選択してPDCCHのリスニング及び受信を行うように設定される。
【００６９】
一つの例示的な実施形態において、前記所定のアルゴリズムは、
【００７０】
【数３】
2019528020.tif 000005
(ここで、NpdはPDCCH受信にリスニングされる搬送波構成のうちの搬送波総数であり、Npaはランダムアクセス搬送波構成のうちの搬送波総数であり、i、jは最小値を1とする。)を含む。
【００７１】
一つの例示的な実施形態において、前記所定のアルゴリズムは、
j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)を含む。
【００７２】
一つの例示的な実施形態において、前記所定のアルゴリズムは、
Npd=Npaの場合、j=iになるが、
Npd≠Npaの場合、j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)になることを含む。
【００７３】
一つの例示的な実施形態において、前記所定のアルゴリズムは、
Npd=Npaの場合、j=iになるが、
Npd≠Npaの場合、
【００７４】
【数４】
2019528020.tif 000006
(ここで、NpdはPDCCH受信にリスニングされる搬送波構成のうちの搬送波総数であり、Npaはランダムアクセス搬送波構成のうちの搬送波総数であり、i、jは最小値を1とする。)になることを含む。
【００７５】
一つの例示的な実施形態において、前記受信モジュールは、さらに、ネットワーク機器から放送され、各ノンアンカー搬送波、各無線カバレッジレベルのいずれかの情報に対応するアップリンク搬送波構成とPDCCH受信にリスニングされる搬送波構成との対応関係の情報を受信するように設定される。
前記アップリンク搬送波構成は、少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リストのいずれか一つ又はその組み合わせを含む。
前記PDCCH受信にリスニングされる搬送波構成は、少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【００７６】
一つの例示的な実施形態において、前記対応関係に基づいて、端末があるアップリンク搬送波を選択してランダムアクセスを始める場合、対応関係を有する前記PDCCH受信にリスニングされる搬送波構成を選択してPDCCHのリスニング及び受信を行う。前記対応関係は、少なくとも、
一つの前記アップリンク搬送波構成と一つの前記PDCCH受信にリスニングされる搬送波構成との対応関係、
一つの前記アップリンク搬送波構成と、前記アップリンク搬送波構成に対応可能な搬送波がビットマップ内に所定値1で示され、前記アップリンク搬送波構成に対応不可能な搬送波がビットマップ内に所定値2で示されるように、ビットマップ形式で示された複数の前記PDCCH受信にリスニングされる搬送波構成との対応関係、
前記PDCCH受信にリスニングされる搬送波構成に対応可能な搬送波がビットマップ内に所定値1で示され、前記PDCCH受信にリスニングされる搬送波構成に対応不可能な搬送波がビットマップ内に所定値2で示されるように、ビットマップ形式で示された複数の前記アップリンク搬送波構成と、一つの前記PDCCH受信にリスニングされる搬送波構成との対応関係のいずれか一つ又はその組み合わせを含む。
【００７７】
一つの例示的な実施形態において、前記特定モジュールは、さらに、所定のアルゴリズムに基づいて、アップリンク搬送波構成のうちのi番目の搬送波を選択してランダムアクセスを始めると特定した場合、対応関係が存在するPDCCH受信にリスニングされる搬送波構成から、j番目の搬送波を選択してPDCCHのリスニング及び受信を行うように設定される。
【００７８】
一つの例示的な実施形態において、前記所定のアルゴリズムは、
Npd=Npaの場合、j=iになるが、
Npd≠Npaの場合、j=(i+k0*Ns)mod Npd+NO(ここで、Npdは対応関係が存在するPDCCH受信にリスニングされる搬送波構成のうちの搬送波総数であり、Npaはランダムアクセス搬送波構成のうちの搬送波総数、若しくは、対応関係が存在するアップリンク搬送波構成のうちの搬送波総数であり、Nsはi番目の搬送波のランダムアクセス搬送波構成のうちの副搬送波id因子又はそれを入力とした関数、若しくは、端末の現在のカバレッジレベル因子又はそれを入力とした関数であり、k0、N0は所定の常数である。)になることを含む。
【００７９】
一つの例示的な実施形態において、前記所定のアルゴリズムは、
Npd=Npaの場合、j=iになるが、
Npd≠Npaの場合、i番目の搬送波のNs値の有効値を、各セグメントのIDが小さい順にM1、M2、…MNpdと示されたNpdセグメントに分け、端末がi番目の搬送波でランダムアクセスを始める場合、選択したランダムアクセスリソースのうちのNs値がM1、M2、…MNpdのうちの一つのセグメント、例えば第Mjセグメントに含まれることに応じて、j番目の搬送波を、PDCCH受信にリスニングされる搬送波として選択する(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Nsはランダムアクセス搬送波構成のうちの副搬送波id因子又はそれを入力とした関数、若しくは、端末の現在のカバレッジレベル因子又はそれを入力とした関数である。)ことを含む。
【００８０】
一つの例示的な実施形態において、前記所定のアルゴリズムは、
Npd=Npaの場合、j=iになるが、
Npd≠Npaの場合、j=(i+k1*T)mod Npd+N1(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Tは時間領域因子であり、k1、N1は所定の常数である。)になることを含む。
【００８１】
一つの例示的な実施形態において、前記時間領域因子Tは、選択されたランダムアクセスリソースの一つ目の無線フレーム番号、選択されたランダムアクセスリソースの一つ目の無線サブフレーム番号、ランダムアクセスプリアンブルを送信する一つ目の無線フレーム番号、ランダムアクセスプリアンブルを送信する一つ目の無線サブフレーム番号のうちの一つを含む。
【００８２】
一つの例示的な実施形態において、前記N0=1であり、前記N1=1であり、前記k0は、iの最大値を取り、前記k1は、iの最大値を取り、前記i、jの最小値は、1である。
【００８３】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む。
【００８４】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、バンド特徴パラメータを含む。前記搬送波特徴パラメータは、ガードバンドguard band、インバンドin-band、スタンドアロンバンドstandlone bandのうちの一つを含む。
【００８５】
一つの例示的な実施形態において、前記ノンアンカー搬送波のランダムアクセスリソース構成リストは、少なくとも一つの無線カバレッジレベルに対応するランダムアクセスリソース構成のエントリーを含む。
【００８６】
一つの例示的な実施形態において、前記ノンアンカー搬送波構成にランダムアクセスリソース構成が含まれなければ、ノンアンカー搬送波のランダムアクセスリソース構成がアンカー搬送波と同一であることをデフォルトにする。
【００８７】
一つの例示的な実施形態において、異なるノンアンカー搬送波のランダムアクセスリソース構成間は、同一、又は異なる。
【００８８】
一つの例示的な実施形態において、前記他の物理層パラメータは、ダウンリンクサブフレーム構成、ダウンリンク伝送間隔構成、インバンド(in-band)動作方式での進化型地上無線アクセスE-UTRA制御エリアのサイズのいずれか一つ又はその組み合わせを含む。
【００８９】
一つの例示的な実施形態において、前記受信モジュールは、さらに、ネットワーク機器から放送されるノンアンカー搬送波の無線カバレッジレベルRSRP閾値とアンカー搬送波の無線カバレッジレベルRSRP閾値との差を、受信するように設定される。
【００９０】
本発明の実施例は、端末に放送するノンアンカー搬送波構成であって、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を特定するように設定された特定モジュールと、
前記ノンアンカー搬送波構成を端末に放送するように設定された放送モジュールとを含むネットワークシステムリソース構成の伝送装置をさらに提供する。
【００９１】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む。
【００９２】
一つの例示的な実施形態において、前記放送モジュールは、さらに、各無線カバレッジレベルに対応するランダムアクセス搬送波構成を前記端末に放送するように設定される。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【００９３】
一つの例示的な実施形態において、前記放送モジュールは、さらに、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末に放送するように設定され、若しくは、
第1アンカー搬送波によってページングリスニングを行うよう前記端末に指示することに用いられる第3指示情報を、前記端末に放送するように設定され、若しくは、
システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末に放送するように設定され、若しくは、
ページングリスニング用のリソースにアンカー搬送波が含まれるか否かを前記端末に指示することに用いられる第7指示情報を、前記端末に放送するように設定される。
【００９４】
一つの例示的な実施形態において、前記放送モジュールは、さらに、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末に放送するように設定され、若しくは、
第2アンカー搬送波によってランダムアクセスを行うよう前記端末に指示することに用いられる第4指示情報を、前記端末に放送するように設定され、若しくは、
ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末に放送するように設定され、若しくは、
ランダムアクセスを行うリソースにアンカー搬送波が含まれるか否かを前記端末に指示することに用いられる第8指示情報を、前記端末に放送するように構成される。
【００９５】
一つの例示的な実施形態において、前記放送モジュールは、さらに、各無線カバレッジレベルに対応する物理ダウンリンク制御チャネルPDCCH受信にリスニングされる搬送波構成を、前記端末に放送するように設定される。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【００９６】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む。
【００９７】
一つの例示的な実施形態において、前記ノンアンカー搬送波のランダムアクセスリソース構成リストは、少なくとも一つの無線カバレッジレベルに対応するランダムアクセスリソース構成のエントリーを含む。
【００９８】
一つの例示的な実施形態において、前記ノンアンカー搬送波構成にランダムアクセスリソース構成が含まれなければ、ノンアンカー搬送波のランダムアクセスリソース構成がアンカー搬送波と同一であることをデフォルトにする。
【００９９】
一つの例示的な実施形態において、異なるノンアンカー搬送波のランダムアクセスリソース構成間は、同一、又は異なる。
【０１００】
一つの例示的な実施形態において、前記他の物理層パラメータは、ダウンリンクサブフレーム構成、ダウンリンク伝送間隔構成、インバンド(in-band)動作方式での進化型地上無線アクセスE-UTRA制御エリアのサイズのいずれか一つ又はその組み合わせを含む。
【０１０１】
一つの例示的な実施形態において、前記放送モジュールは、さらに、ノンアンカー搬送波の無線カバレッジレベルRSRP閾値とアンカー搬送波の無線カバレッジレベルRSRP閾値との差を、前記端末に放送するようにさらに設定されることを含む。
【０１０２】
本発明の実施例は、上記ネットワークシステムリソース構成の取得装置及び上記ネットワークシステムリソース構成の伝送装置を含むネットワークシステムリソース構成の取得システムをさらに提供する。本発明の実施例は、プロセッサ、及び、前記プロセッサによって実行可能な指令が格納されたメモリを含む端末をさらに提供する。前記指令がプロセッサによって実行されると、
ネットワーク機器から放送され、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を受信することと、
前記ノンアンカー搬送波構成に基づいて、前記ネットワーク機器とランダムアクセス又はページングリスニングを行うリソース情報を特定することを実行する。
【０１０３】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む。
【０１０４】
一つの例示的な実施形態において、前記ノンアンカー搬送波構成は、ノンアンカー搬送波のページングパラメータ構成リスト、ダウンリンクノンアンカー搬送波のページングパラメータ構成リストのいずれか一つ又はその組み合わせをさらに含む。
【０１０５】
一つの例示的な実施形態において、前記ノンアンカー搬送波構成は、
ノンアンカー搬送波をランダムアクセスに用いることが可能か否かをノンアンカー搬送波ごとに構成した指示、
ノンアンカー搬送波をページングリスニングに用いることが可能か否かをノンアンカー搬送波ごとに構成した指示、
ノンアンカー搬送波を物理ダウンリンク制御チャネルPDCCHのリスニング及び受信に用いることが可能か否かをノンアンカー搬送波ごとに構成した指示のいずれか一つ又はその組み合わせをさらに含み、
前記ノンアンカー搬送波は、
ノンアンカー搬送波、アップリンクノンアンカー搬送波、ダウンリンクノンアンカー搬送波のいずれか一つを含む。
【０１０６】
一つの例示的な実施形態において、ページングリスニングに利用可能に構成されたノンアンカー搬送波に対し、前記ノンアンカー搬送波構成は、ノンアンカー搬送波のページングパラメータ構成リスト、ダウンリンクノンアンカー搬送波のページングパラメータ構成リストのいずれか一つ又はその組み合わせをさらに含む。
【０１０７】
一つの例示的な実施形態において、前記ページングパラメータ構成リストは、
ノンアンカー搬送波に共通の搬送波選択加重因子又はノンアンカー搬送波ごとに構成した搬送波選択加重因子、
ノンアンカー搬送波に共通のDRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む。
【０１０８】
一つの例示的な実施形態において、ネットワーク機器から放送され、各無線カバレッジレベルに対応するランダムアクセス搬送波構成を受信することをさらに実行する。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【０１０９】
一つの例示的な実施形態において、ネットワーク機器から放送され、各無線カバレッジレベルに対応するページング搬送波構成を受信することをさらに実行する。前記ページング搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リスト、前記中心周波数又は中心周波数リストに対応するページングリソース構成のいずれか一つ又はその組み合わせを含む。
【０１１０】
一つの例示的な実施形態において、前記ページング搬送波構成は、
ノンアンカー搬送波に共通の搬送波選択加重因子又はノンアンカー搬送波ごとに構成した搬送波選択加重因子、
ノンアンカー搬送波に共通のDRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む。
【０１１１】
一つの例示的な実施形態において、前記搬送波特徴パラメータは、ガードバンド(guard band)、インバンド(in-band)、スタンドアロンバンド(standlone band)のうちの一つを含む。
【０１１２】
一つの例示的な実施形態において、前記ネットワーク機器から放送された第1指示情報であって、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を取得すること、若しくは、
前記ネットワーク機器から放送された第3指示情報であって、第1アンカー搬送波によってページングリスニングを行うよう前記端末に指示することに用いられる第3指示情報を取得すること、若しくは、
前記ネットワーク機器から放送された第5指示情報であって、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を取得すること、若しくは、
前記ネットワーク機器から放送された第7指示情報であって、ページングリスニング用のリソースにアンカー搬送波が含まれるか否かを前記端末に指示することに用いられる第7指示情報を取得することをさらに実行する。
【０１１３】
一つの例示的な実施形態において、前記ネットワーク機器から放送された第2指示情報であって、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を取得すること、若しくは、
前記ネットワーク機器から放送された第4指示情報であって、第2アンカー搬送波によってランダムアクセスを行うよう前記端末に指示することに用いられる第4指示情報を取得すること、若しくは、
前記ネットワーク機器から放送された第6指示情報であって、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を取得すること、若しくは、
前記ネットワーク機器から放送された第8指示情報であって、ランダムアクセスを行うリソースにアンカー搬送波が含まれるか否かを前記端末に指示することに用いられる第8指示情報を取得することをさらに実行する。
【０１１４】
一つの例示的な実施形態において、ネットワーク機器から放送され、各無線カバレッジレベルに対応する物理ダウンリンク制御チャネルPDCCH受信にリスニングされる搬送波構成を受信することをさらに実行する。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０１１５】
一つの例示的な実施形態において、所定のアルゴリズムに基づいて、ランダムアクセス搬送波構成のうちのi番目の搬送波を選択してランダムアクセスを始めると特定した場合、PDCCH受信にリスニングされる搬送波構成から、j番目の搬送波を選択してPDCCHのリスニング及び受信を行うことをさらに実行する。
【０１１６】
一つの例示的な実施形態において、前記所定のアルゴリズムは、
【０１１７】
【数５】
2019528020.tif 000007
(ここで、NpdはPDCCH受信にリスニングされる搬送波構成のうちの搬送波総数であり、Npaはランダムアクセス搬送波構成のうちの搬送波総数であり、i、jは最小値を1とする。)を含む。
【０１１８】
一つの例示的な実施形態において、前記所定のアルゴリズムは、
j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)を含む。
【０１１９】
一つの例示的な実施形態において、前記所定のアルゴリズムは、
Npd=Npaの場合、j=iになるが、
Npd≠Npaの場合、j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)になることを含む。
【０１２０】
一つの例示的な実施形態において、前記所定のアルゴリズムは、
Npd=Npaの場合、j=iになるが、
Npd≠Npaの場合、j=(ここで、NpdはPDCCH受信にリスニングされる搬送波構成のうちの搬送波総数であり、Npaはランダムアクセス搬送波構成のうちの搬送波総数であり、i、jは最小値を1とする。)になることを含む。
【０１２１】
一つの例示的な実施形態において、ネットワーク機器から放送され、各ノンアンカー搬送波、各無線カバレッジレベルのいずれかの情報に対応するアップリンク搬送波構成とPDCCH受信にリスニングされる搬送波構成との対応関係の情報を、受信することをさらに実行する。
前記アップリンク搬送波構成は、少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リストのいずれか一つ又はその組み合わせを含み、
前記PDCCH受信にリスニングされる搬送波構成は、少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０１２２】
一つの例示的な実施形態において、前記対応関係に基づいて、端末があるアップリンク搬送波を選択してランダムアクセスを始める場合、対応関係を有する前記PDCCH受信にリスニングされる搬送波構成を選択してPDCCHのリスニング及び受信を行う。前記対応関係は、少なくとも、
一つの前記アップリンク搬送波構成と一つの前記PDCCH受信にリスニングされる搬送波構成との対応関係、
一つの前記アップリンク搬送波構成と、前記アップリンク搬送波構成に対応可能な搬送波がビットマップ内に所定値1で示され、前記アップリンク搬送波構成に対応不可能な搬送波がビットマップ内に所定値2で示されるように、ビットマップ形式で示された複数の前記PDCCH受信にリスニングされる搬送波構成との対応関係、
前記PDCCH受信にリスニングされる搬送波構成に対応可能な搬送波がビットマップ内に所定値1で示され、前記PDCCH受信にリスニングされる搬送波構成に対応不可能な搬送波がビットマップ内に所定値2で示されるように、ビットマップ形式で示された複数の前記アップリンク搬送波構成と、一つの前記PDCCH受信にリスニングされる搬送波構成との対応関係のいずれか一つ又はその組み合わせを含む。
【０１２３】
一つの例示的な実施形態において、所定のアルゴリズムに基づいて、端末がアップリンク搬送波構成のうちのi番目の搬送波を選択してランダムアクセスを始めると特定した場合、対応関係が存在するPDCCH受信にリスニングされる搬送波構成から、j番目の搬送波を選択してPDCCHのリスニング及び受信を行うことをさらに実行する。
【０１２４】
一つの例示的な実施形態において、前記所定のアルゴリズムは、
Npd=Npaの場合、j=iになるが、
Npd≠Npaの場合、j=(i+k0*Ns)mod Npd+NO(ここで、Npdは対応関係が存在するPDCCH受信にリスニングされる搬送波構成のうちの搬送波総数であり、Npaはランダムアクセス搬送波構成のうちの搬送波総数、若しくは、対応関係が存在するアップリンク搬送波構成のうちの搬送波総数であり、Nsはi番目の搬送波のランダムアクセス搬送波構成のうちの副搬送波id因子又はそれを入力とした関数、若しくは、端末の現在のカバレッジレベル因子又はそれを入力とした関数であり、k0、N0は所定の常数である。)になることを含む。
【０１２５】
一つの例示的な実施形態において、前記所定のアルゴリズムは、
Npd=Npaの場合、j=iになるが、
Npd≠Npaの場合、i番目の搬送波のNs値の有効値を、各セグメントのIDが小さい順にM1、M2、…MNpdと示されたNpdセグメントに分け、端末がi番目の搬送波でランダムアクセスを始める場合、選択したランダムアクセスリソースのうちのNs値がM1、M2、…MNpdのうちの一つのセグメント、例えば第Mjセグメントに含まれることに応じて、j番目の搬送波を、PDCCH受信にリスニングされる搬送波として選択する(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Nsはランダムアクセス搬送波構成のうちの副搬送波id因子又はそれを入力とした関数、若しくは、端末の現在のカバレッジレベル因子又はそれを入力とした関数である。)ことを含む。
【０１２６】
一つの例示的な実施形態において、前記所定のアルゴリズムは、
Npd=Npaの場合、j=iになるが、
Npd≠Npaの場合、j=(i+k1*T)mod Npd+N1(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Tは時間領域因子であり、k1、N1は所定の常数である。)になることを含む。
【０１２７】
一つの例示的な実施形態において、前記時間領域因子Tは、選択されたランダムアクセスリソースの一つ目の無線フレーム番号、選択されたランダムアクセスリソースの一つ目の無線サブフレーム番号、ランダムアクセスプリアンブルを送信する一つ目の無線フレーム番号、ランダムアクセスプリアンブルを送信する一つ目の無線サブフレーム番号のうちの一つを含む。
【０１２８】
一つの例示的な実施形態において、前記N0=1であり、前記N1=1であり、前記k0は、iの最大値を取り、前記k1は、iの最大値を取り、前記i、jの最小値は、1である。
【０１２９】
本発明の実施例は、プロセッサ、及び、前記プロセッサによって実行可能な指令が格納されたメモリを含むネットワーク機器をさらに提供する。前記指令がプロセッサによって実行されると、端末に放送するノンアンカー搬送波構成であって、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を特定することと、前記ノンアンカー搬送波構成を端末に放送することとを実行する。
【０１３０】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む。
【０１３１】
一つの例示的な実施形態において、各無線カバレッジレベルに対応するランダムアクセス搬送波構成を前記端末に放送することをさらに実行する。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【０１３２】
一つの例示的な実施形態において、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末に放送すること、若しくは、
第1アンカー搬送波によってページングリスニングを行うよう前記端末に指示することに用いられる第3指示情報を、前記端末に放送すること、若しくは、
システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末に放送すること、若しくは、
ページングリスニング用のリソースにアンカー搬送波が含まれるか否かを前記端末に指示することに用いられる第7指示情報を、前記端末に放送することをさらに実行する。
【０１３３】
一つの例示的な実施形態において、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末に放送すること、若しくは、
第2アンカー搬送波によってランダムアクセスを行うよう前記端末に指示することに用いられる第4指示情報を、前記端末に放送すること、若しくは、
ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末に放送すること、若しくは、
ランダムアクセスを行うリソースにアンカー搬送波が含まれるか否かを前記端末に指示することに用いられる第8指示情報を、前記端末に放送することをさらに実行する。
【０１３４】
一つの例示的な実施形態において、各無線カバレッジレベルに対応する物理ダウンリンク制御チャネルPDCCH受信にリスニングされる搬送波構成を、前記端末に放送することをさらに実行する。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０１３５】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む。
【０１３６】
一つの例示的な実施形態において、前記ノンアンカー搬送波のランダムアクセスリソース構成リストは、少なくとも一つの無線カバレッジレベルに対応するランダムアクセスリソース構成のエントリーを含む。
【０１３７】
本発明の実施例は、上記端末及び上記ネットワーク機器を含むネットワークシステムをさらに提供する。
【０１３８】
本発明の実施例において、端末は、ネットワーク機器から放送され、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を受信し、前記ノンアンカー搬送波構成に基づいて、前記ネットワーク機器とランダムアクセス又はページングリスニングを行うリソース情報を特定する。端末のノンアンカー搬送波でのページング及びランダムアクセスが実現されることで、ネットワーク機器のページング及びランダムアクセス容量の能力が向上する。
【０１３９】
以上は、本文において詳細に記載されるテーマの概ねの記述である。本概ねの記述は、特許請求の範囲を限定するためのものではない。添付図面及び詳細な記載を閲読して理解すれば、他の方面も明らかになる。
【図面の簡単な説明】
【０１４０】
【図１】本発明の実施例におけるネットワークシステムリソース構成の取得方法のフローチャートである。
【図２】本発明の実施例におけるネットワークシステムリソース構成の伝送方法のフローチャートである。
【図３】本発明の実施例におけるネットワークシステムリソース構成の取得装置に含まれるモジュールの概略図である。
【図４】本発明の実施例におけるネットワークシステムリソース構成の伝送装置に含まれるモジュールの概略図である。
【図５】本発明の実施例における端末の構造概略図である。
【図６】本発明の実施例におけるネットワーク機器の構造概略図である。
【発明を実施するための形態】
【０１４１】
本発明の実施例が提供するネットワークシステムリソース構成の取得方法及びネットワークシステムリソース構成の伝送方法は、ネットワーク機器と端末においてノンアンカー搬送波によってページング又はランダムアクセスを行う際に利用される。本発明の実施例が提供するネットワークシステムリソース構成の取得方法は、端末機器に集積され又は単独に配置されるネットワークシステムリソース構成の取得装置によって実行される。本発明の実施例が提供するネットワークシステムリソース構成の伝送方法は、ネットワーク機器に集積され又は単独に配置されるネットワークシステムリソース構成の伝送装置によって実行される。ここで、当該ネットワークシステムリソース構成の取得装置及びネットワークシステムリソース構成の伝送装置は、ソフトウェア、ハードウェア、又はソフトウェアとハードウェアを組み合わせた方式で実現することができる。
【０１４２】
図1は、本発明の実施例におけるネットワークシステムリソース構成の取得方法のフローチャートである。図1に示すように、当該方法は、端末によって実行することができる。当該方法は、ステップ101とステップ102を含む。
【０１４３】
ステップ101において、端末は、ネットワーク機器から放送されたノンアンカー搬送波構成を受信する。
【０１４４】
本実施例において、前記ノンアンカー搬送波構成は、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含む。
【０１４５】
本実施例の使用シーンは、同一のネットワーク機器、例えば基地局の配下で同一領域をカバーする複数のシングルキャリアセルが一つのマルチキャリアセルにアグリゲートされたものである。
【０１４６】
本実施例において、ノンアンカー搬送波中心周波数リストには、少なくとも一つのノンアンカー搬送波中心周波数を含む。ここで、ネットワーク機器は、基地局若しくはネットワークシステムの任意の機器であってもよく、端末は、ネットワーク機器との接続を確立する任意の端末機器であってもよい。
【０１４７】
ノンアンカー搬送波構成パラメータリストは、少なくとも以下2種類の実現方式を含むことができる。
実現方式1:ノンアンカー搬送波構成パラメータリストは、少なくとも一つのエントリーを含み、各エントリーには、例えば電力、間隔時間などの異なる構成パラメータを含んでもよい。ここで各エントリーに含まれる構成パラメータは、これに限定されず、当業者によって設定された構成パラメータをさらに含んでもよい。
実現方式2:ノンアンカー搬送波構成パラメータリストは、少なくとも一つのエントリーを含み、各エントリーは、一つの構成パラメータを含んでもよい。例えば、ノンアンカー搬送波構成パラメータリストは、電力と時間間隔の二つのエントリーを含む。
【０１４８】
一つの例示的な実施形態において、ノンアンカー搬送波中心周波数リストとノンアンカー搬送波構成パラメータリストは、同一リストに設定されてもよい。すなわち、ノンアンカー搬送波中心周波数リストのうちの各ノンアンカー搬送波中心周波数は、ノンアンカー搬送波構成パラメータリストのうちの一つの構成パラメータリストエントリーに対応してもよく、若しくは、ノンアンカー搬送波中心周波数リストのうちのすべてのノンアンカー搬送波中心周波数は、ノンアンカー搬送波構成パラメータリストのうちの一つの構成パラメータリストエントリーに対応してもよい。
【０１４９】
ステップ102において、端末は、前記ノンアンカー搬送波構成に基づいて、前記ネットワーク機器とランダムアクセス又はページングリスニングを行うリソース情報を特定することを含む。
【０１５０】
端末が、前記ノンアンカー搬送波構成に基づいて、前記ネットワーク機器とランダムアクセス又はページングリスニングを行うリソース情報を特定することは、少なくとも以下2種類の実現方式を含む。
実現方式1:端末は、当該ノンアンカー搬送波構成において指示されるノンアンカー搬送波中心周波数リスト、ノンアンカー搬送波構成パラメータリスト、ダウンリンクノンアンカー搬送波中心周波数リスト、ダウンリンクノンアンカー搬送波構成パラメータリストに基づいて、前記ネットワーク機器とページングリスニングを行うリソース情報を特定することで、当該リソース情報でページングリスニングを始めることができる。
実現方式2:端末は、当該ノンアンカー搬送波構成において指示されるノンアンカー搬送波中心周波数リスト、ノンアンカー搬送波構成パラメータリスト、アップリンクノンアンカー搬送波中心周波数リスト、アップリンクノンアンカー搬送波構成パラメータリストに基づいて、前記ネットワーク機器とランダムアクセスを行うリソース情報を特定することで、当該リソース情報でランダムアクセスを始めることができる。
【０１５１】
本発明の実施例において、端末は、ネットワーク機器から放送され、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を受信し、前記ノンアンカー搬送波構成に基づいて、前記ネットワーク機器とランダムアクセス又はページングリスニングを行うリソース情報を特定する。端末のノンアンカー搬送波でのページング及びランダムアクセスが実現されることで、ネットワーク機器のページング及びランダムアクセス容量の能力が向上する。
【０１５２】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力(Reference Signal Receiving Power、以下、RSRPと略称する)閾値リスト、ダウンリンクノンアンカー搬送波の無線カバレッジレベルRSRP閾値リストのいずれか一つ又はその組み合わせをさらに含むことができる。
【０１５３】
ノンアンカー搬送波のランダムアクセスリソース構成リストは、少なくとも一つのランダムアクセスリソース構成エントリーを含み、各ランダムアクセスリソース構成エントリーは、ノンアンカー搬送波中心周波数と無線カバレッジレベルの対応関係を含むことができる。例えば、第1無線カバレッジレベルは、F1、F2、F5の三つのノンアンカー搬送波中心周波数に対応し、第2無線カバレッジレベルは、F3、F4の二つのノンアンカー搬送波中心周波数に対応する。
【０１５４】
本実施例において、ノンアンカー搬送波の無線カバレッジレベル基準信号受信電力RSRP閾値リストは、少なくとも一つのノンアンカー搬送波の無線カバレッジレベルRSRP閾値エントリーを含むことができ、各ノンアンカー搬送波の無線カバレッジレベルRSRP閾値エントリーは、RSRP閾値と無線カバレッジレベルの対応関係を含む。例えば、第1RSRP閾値より高い800HZは、第1ノンアンカー搬送波の無線カバレッジレベルに対応し、第1RSRP閾値より低くかつ第2RSRP閾値より高い500HZは、第2ノンアンカー搬送波の無線カバレッジレベルに対応する。本実施例において、ダウンリンクノンアンカー搬送波のRSRP閾値リストは、少なくとも一つのダウンリンクノンアンカー搬送波のRSRP閾値エントリーを含み、各ダウンリンクノンアンカー搬送波のRSRP閾値エントリーは、RSRP閾値とダウンリンク無線カバレッジレベルの対応関係を含む。例えば、第1RSRP閾値より高い800HZは、第1ダウンリンク無線カバレッジレベルに対応し、第1RSRP閾値より低くかつ第2RSRP閾値より高い500HZは、第2ダウンリンク無線カバレッジレベルに対応する。
【０１５５】
一つの例示的な実施形態において、前記ノンアンカー搬送波構成は、ノンアンカー搬送波のページングパラメータ構成リスト、ダウンリンクノンアンカー搬送波のページングパラメータ構成リストのいずれか一つ又はその組み合わせをさらに含むことができる。
【０１５６】
一つの例示的な実施形態において、前記ノンアンカー搬送波構成は、
ノンアンカー搬送波をランダムアクセスに用いることが可能か否かをノンアンカー搬送波ごとに構成した指示、
ノンアンカー搬送波をページングリスニングに用いることが可能か否かをノンアンカー搬送波ごとに構成した指示、
ノンアンカー搬送波を物理ダウンリンク制御チャネルPDCCHのリスニング及び受信に用いることが可能か否かをノンアンカー搬送波ごとに構成した指示のいずれか一つ又はその組み合わせをさらに含み、
前記ノンアンカー搬送波は、ノンアンカー搬送波、アップリンクノンアンカー搬送波、ダウンリンクノンアンカー搬送波のいずれか一つを含む。
【０１５７】
ページングリスニングに利用可能に構成されたノンアンカー搬送波に対し、前記ノンアンカー搬送波構成は、ノンアンカー搬送波のページングパラメータ構成リスト、ダウンリンクノンアンカー搬送波のページングパラメータ構成リストのいずれか一つ又はその組み合わせをさらに含む。
【０１５８】
一つの例示的な実施形態において、前記ページングパラメータ構成リストは、
ノンアンカー搬送波に共通の搬送波選択加重因子又はノンアンカー搬送波ごとに構成した搬送波選択加重因子、
ノンアンカー搬送波に共通のDRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む。
【０１５９】
一つの例示的な実施形態において、前記方法は、ネットワーク機器から放送され、各無線カバレッジレベルに対応するランダムアクセス搬送波構成を、前記端末が受信することをさらに含む。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ノンアンカー搬送波アップリンクノンアンカー搬送波中心周波数、ノンアンカー搬送波アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ノンアンカー搬送波アップリンクノンアンカー搬送波中心周波数番号、ノンアンカー搬送波アップリンクノンアンカー搬送波中心周波数番号リスト、前記中心周波数又は中心周波数リストに対応するランダムアクセスリソース構成のいずれか一つ又はその組み合わせを含むことができる。
【０１６０】
一つの例示的な実施形態において、前記方法は、ネットワーク機器から放送され、各無線カバレッジレベルに対応するページング搬送波構成を、前記端末が受信することをさらに含むことができる。前記ページング搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リスト、前記中心周波数又は中心周波数リストに対応するページングリソース構成のいずれか一つ又はその組み合わせを含む。
【０１６１】
ここで、前記ページング搬送波構成は、
ノンアンカー搬送波に共通の搬送波選択加重因子又はノンアンカー搬送波ごとに構成した搬送波選択加重因子、
ノンアンカー搬送波に共通のDRX周期又はノンアンカー搬送波ごとに構成したDRX周期、
ノンアンカー搬送波に共通の各DRX周期内ページング機会数又はノンアンカー搬送波ごとに構成した各DRX周期内ページング機会数、
ノンアンカー搬送波ごとに構成したノンアンカー搬送波のバンド特徴パラメータのいずれか一つ又はその組み合わせをさらに含み、
前記ノンアンカー搬送波は、
ノンアンカー搬送波、ダウンリンクノンアンカー搬送波のいずれか一つを含む。
【０１６２】
前記搬送波特徴パラメータは、ガードバンド(guard band)、インバンド(in-band)、スタンドアロンバンド(standlone band)のうちの一つを含む。
【０１６３】
一つの例示的な実施形態において、前記方法は、
前記ネットワーク機器から放送された第1指示情報であって、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末が取得すること、若しくは、
前記ネットワーク機器から放送された第3指示情報であって、第1アンカー搬送波によってページングリスニングを行うよう前記端末に指示することに用いられる第3指示情報を、前記端末が取得すること、若しくは、
前記ネットワーク機器から放送された第5指示情報であって、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末が取得すること、若しくは、
前記ネットワーク機器から放送された第7指示情報であって、ページングリスニング用のリソースにアンカー搬送波が含まれるか否かを前記端末に指示することに用いられる第7指示情報を、前記端末が取得することをさらに含むことができる。
【０１６４】
なお、前記端末は、ネットワーク機器から少なくとも2種類の実現方式で放送された前記第1指示情報、前記第3指示情報、前記第5指示情報のいずれか一つ又はその組み合わせを受信する。実現方式1では、ネットワーク機器は、これらの指示情報を、直接ビットを占用して送信するが、実現方式2では、ネットワーク機器は、黙示的方式、すなわちビットを占用しない方式でこれらの指示情報を送信する。
【０１６５】
上述したどの実現方式であっても、本発明の実施例の方法は、
前記ネットワーク機器から放送された第2指示情報であって、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末が取得すること、若しくは、
前記ネットワーク機器から放送された第4指示情報であって、第2アンカー搬送波によってランダムアクセスを行うよう前記端末に指示することに用いられる第4指示情報を、前記端末が取得すること、若しくは、
前記ネットワーク機器から放送された第6指示情報であって、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末が取得すること、若しくは、
前記ネットワーク機器から放送された第8指示情報であって、ランダムアクセスを行うリソースにアンカー搬送波が含まれるか否かを前記端末に指示することに用いられる第8指示情報を、前記端末が取得することをさらに含むことができる。
【０１６６】
なお、前記端末は、ネットワーク機器から少なくとも2種類の実現方式で放送された前記第2指示情報、前記第4指示情報、前記第6指示情報のいずれか一つ又はその組み合わせを受信する。実現方式1では、ネットワーク機器は、これらの指示情報を、直接ビットを占用して送信するが、実現方式2では、ネットワーク機器は、黙示的方式、すなわちビットを占用しない方式でこれらの指示情報を送信する。
【０１６７】
本実施例の方法は、ネットワーク機器から放送され、各無線カバレッジレベルに対応する物理ダウンリンク制御チャネルPDCCH受信にリスニングされる搬送波構成を、前記端末が受信することをさらに含むことができる。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０１６８】
前記端末は、所定のアルゴリズムに基づいて、ランダムアクセス搬送波構成のうちのi番目の搬送波を選択してランダムアクセスを始めると特定した場合、PDCCH受信にリスニングされる搬送波構成から、j番目の搬送波を選択してPDCCHのリスニング及び受信を行う。
【０１６９】
例えば、前記所定のアルゴリズムは、
【０１７０】
【数６】
2019528020.tif 000008
(ここで、NpdはPDCCH受信にリスニングされる搬送波構成のうちの搬送波総数であり、Npaはランダムアクセス搬送波構成のうちの搬送波総数であり、i、jは最小値を1とする。)を含む。
【０１７１】
当該所定のアルゴリズムは、以下の任意の方式で実現される。
【０１７２】
実現方式1:前記所定のアルゴリズムは、
j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)を含む。
【０１７３】
実現方式2:前記所定のアルゴリズムは、
Npd=Npaの場合、j=iになるが、
Npd≠Npaの場合、j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)になることを含む。
【０１７４】
実現方式3:前記所定のアルゴリズムは、
Npd=Npaの場合、j=iになるが、
Npd≠Npaの場合、
【０１７５】
【数７】
2019528020.tif 000009
(ここで、NpdはPDCCH受信にリスニングされる搬送波構成のうちの搬送波総数であり、Npaはランダムアクセス搬送波構成のうちの搬送波総数であり、i、jは最小値を1とする。)になることを含む。
【０１７６】
一つの例示的な実施形態において、前記方法は、ネットワーク機器から放送され、各ノンアンカー搬送波、各無線カバレッジレベルのいずれかの情報に対応するアップリンク搬送波構成とPDCCH受信にリスニングされる搬送波構成との対応関係の情報を、前記端末が受信することをさらに含むことができる。
前記アップリンク搬送波構成は、少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リストのいずれか一つ又はその組み合わせを含む。
前記PDCCH受信にリスニングされる搬送波構成は、
少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０１７７】
一つの例示的な実施形態において、前記方法は、前記対応関係に基づいて、端末があるアップリンク搬送波を選択してランダムアクセスを始める場合、対応関係を有する前記PDCCH受信にリスニングされる搬送波構成を選択してPDCCHのリスニング及び受信を行うことをさらに含むことができる。前記対応関係は、少なくとも、
一つの前記アップリンク搬送波構成と一つの前記PDCCH受信にリスニングされる搬送波構成との対応関係、
一つの前記アップリンク搬送波構成と、前記アップリンク搬送波構成に対応可能な搬送波がビットマップ内に所定値1で示され、前記アップリンク搬送波構成に対応不可能な搬送波がビットマップ内に所定値2で示されるように、ビットマップ形式で示された複数の前記PDCCH受信にリスニングされる搬送波構成との対応関係、
前記PDCCH受信にリスニングされる搬送波構成に対応可能な搬送波がビットマップ内に所定値1で示され、前記PDCCH受信にリスニングされる搬送波構成に対応不可能な搬送波がビットマップ内に所定値2で示されるように、ビットマップ形式で示された複数の前記アップリンク搬送波構成と、一つの前記PDCCH受信にリスニングされる搬送波構成との対応関係のいずれか一つ又はその組み合わせを含む。
【０１７８】
一つの例示的な実施形態において、前記方法は、前記端末が、所定のアルゴリズムに基づいて、アップリンク搬送波構成のうちのi番目の搬送波を選択してランダムアクセスを始めると特定した場合、対応関係が存在するPDCCH受信にリスニングされる搬送波構成から、j番目の搬送波を選択してPDCCHのリスニング及び受信を行うことをさらに含むことができる。
【０１７９】
当該所定のアルゴリズムは、以下の任意の方式で実現される。
方式1:
Npd=Npaの場合、j=iになるが、
Npd≠Npaの場合、j=(i+k0*Ns)mod Npd+NO(ここで、Npdは対応関係が存在するPDCCH受信にリスニングされる搬送波構成のうちの搬送波総数であり、Npaはランダムアクセス搬送波構成のうちの搬送波総数、若しくは、対応関係が存在するアップリンク搬送波構成のうちの搬送波総数であり、Nsはi番目の搬送波のランダムアクセス搬送波構成のうちの副搬送波id（identity）因子又はそれを入力とした関数、若しくは、端末の現在のカバレッジレベル因子又はそれを入力とした関数であり、 k0、N0は所定の常数である。)になる。
方式2:
Npd=Npaの場合、j=iになるが、
Npd≠Npaの場合、i番目の搬送波のNs値の有効値を、各セグメントのIDが小さい順にM1、M2、…MNpdと示されたNpdセグメントに分け、端末がi番目の搬送波でランダムアクセスを始める場合、選択したランダムアクセスリソースのうちのNs値がM1、M2、…MNpdのうちの一つのセグメント、例えば第Mjセグメントに含まれることに応じて、j番目の搬送波を、PDCCH受信にリスニングされる搬送波として選択する(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Nsはランダムアクセス搬送波構成のうちの副搬送波id因子又はそれを入力とした関数、若しくは、端末の現在のカバレッジレベル因子又はそれを入力とした関数である。)ことを含む。
方式3:
Npd=Npaの場合、j=iになるが、
Npd≠Npaの場合、j=(i+k1*T)mod Npd+N1(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Tは時間領域因子であり、k1、N1は所定の常数である。)になることを含む。
【０１８０】
ここで、前記時間領域因子Tは、選択されたランダムアクセスリソースの一つ目の無線フレーム番号、選択されたランダムアクセスリソースの一つ目の無線サブフレーム番号、ランダムアクセスプリアンブルを送信する一つ目の無線フレーム番号、ランダムアクセスプリアンブルを送信する一つ目の無線サブフレーム番号のうちの一つを含む。
【０１８１】
前記N0=1であり、前記N1=1であり、前記k0は、iの最大値を取り、前記k1は、iの最大値を取り、前記i、jの最小値は1である。
【０１８２】
前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含むことができる。
【０１８３】
前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、バンド特徴パラメータを含む。前記搬送波特徴パラメータは、ガードバンド(guard band)、インバンド(in-band)、スタンドアロンバンド(standlone band)のうちの一つを含むことができる。
【０１８４】
一つの例示的な実施形態において、前記方法は、
前記ノンアンカー搬送波のランダムアクセスリソース構成リストは、少なくとも一つの無線カバレッジレベルに対応するランダムアクセスリソース構成のエントリーを含むことをさらに含むことができる。
【０１８５】
前記ノンアンカー搬送波構成にランダムアクセスリソース構成が含まれなければ、ノンアンカー搬送波のランダムアクセスリソース構成がアンカー搬送波と同一であることをデフォルトにする。
【０１８６】
異なるノンアンカー搬送波のランダムアクセスリソース構成間は、同一、又は異なる。
【０１８７】
一つの例示的な実施形態において、前記他の物理層パラメータは、ダウンリンクサブフレーム構成、ダウンリンク伝送間隔構成、インバンド(in-band)動作方式での進化型地上無線アクセス (Evolved Universal Terrestrial Radio Access、以下、E-UTRAと略称する)制御エリアのサイズのいずれか一つ又はその組み合わせを含む。
【０１８８】
前記端末は、ネットワーク機器から放送されるノンアンカー搬送波の無線カバレッジレベルRSRP閾値とアンカー搬送波の無線カバレッジレベルRSRP閾値との差を受信することができる。
【０１８９】
前記差は、差リストである。当該リストの各エントリーは、あるノンアンカー搬送波とあるアンカー搬送波の無線カバレッジレベルRSRP閾値の差を示す。当該リストに一つのエントリーしかない場合、すべてのノンアンカー搬送波の無線カバレッジレベルRSRP閾値とアンカー搬送波の無線カバレッジレベルRSRP閾値との差を示す。
【０１９０】
一つの例示的な実施形態において、前記第1指示情報、前記第2指示情報、前記第3指示情報、前記第4指示情報、前記第5指示情報、前記第6指示情報は、同一の指示情報の異なる値、若しくは、一つの指示によって以上の二つ以上の指示情報を指示してもよい。
【０１９１】
一つの例示的な実施形態において、前記方法は、以下のいずれか一つ又はその組み合わせをさらに含んでもよい。
前記端末は、前記ネットワーク機器から放送されたノンアンカー搬送波構成を受信する。
前記端末は、前記ネットワーク機器から放送された各無線カバレッジレベルに対応するランダムアクセス搬送波構成を受信する。
前記端末は、前記ネットワーク機器から放送された各無線カバレッジレベルに対応するPDCCH受信にリスニングされる搬送波構成を受信すると、実際に使用されるネットワークシステムリソース構成には、前記端末がサポートできない搬送波は含まれない。
【０１９２】
以下、例を挙げて記載する。
【０１９３】
[例1]
端末は、以下のように示されるネットワーク機器から放送されたシステムメッセージを受信する。従来の構成を基に新たに追加したノンアンカー搬送波non-anchor carrier構成を補正マークで示し、ランダムアクセス構成にランダムアクセス搬送波構成を追加する。
【０１９４】
【表１】
2019528020.tif 000010
【０１９５】
上記構成では、システムメッセージSystemInformationBlockTypeX(SystemInformationBlockTypeXは、SIB1、SIB2、又はその他のSIBメッセージでもよい)には、non-anchor carrier構成が含まれる。non-anchor carrier構成には、総数がmaxNonAnchorCarrierであるnon-anchor carrier中心周波数構成を含む。
【０１９６】
旧バージョンの端末はanchor carrierでページングのリスニングを行い、anchor carrierでnprach-Config-r13構成を用いてランダムアクセスを始める。
【０１９７】
新バージョンの端末が上記non-anchor carrier中心周波数構成を受信すると、これらのnon-anchor carrier中心周波数から一つを選択してページングリスニングを行う又はランダムアクセスを始められるよう新バージョンの端末に指示する、黙示的な指示をネットワーク機器から受信したと見なすことができる。
【０１９８】
ランダムアクセスリソース構成は、新バージョンの端末が追加受信する必要のあるランダムアクセスリソース構成NPRACH-ConfigSIB-NB-r14を含むことができる。NPRACH-ConfigSIB-NB-r14は、カバレッジレベルに対応する複数のランダムアクセスリソース構成を含む。各ランダムアクセスリソース構成NPRACH-Parameters-NB-r14は、主にランダムアクセス搬送波構成を含む。ランダムアクセス搬送波構成は、複数のランダムアクセス搬送波の中心周波数を含んでもよい。当該中心周波数は、システムメッセージで放送されたanchor carrier及び/又はnon-anchor carrierの中心周波数に対応し、複数のランダムアクセス搬送波の番号CarrierFreqIndex-NB-r14を含んでもよい。当該番号は、システムメッセージで放送されたanchor carrier及び/又はnon-anchor carrierの番号に対応する。上記実施例においては、後者の構成方式を選択した。anchor carrierの番号が最小であると見なすことができる。
【０１９９】
端末が現在のカバレッジレベルのランダムアクセス搬送波構成から一つの搬送波を選択してアクセス搬送波とすると、用いられるランダムアクセスリソース構成は、元々の現在のカバレッジレベルでのランダムアクセスリソース構成であり、すなわち、anchor carrierの現在のカバレッジレベルのランダムアクセスリソース構成である。
【０２００】
ここでは、maxNPRACH-Carrierは、maxNonAnchorCarrier以下である。
【０２０１】
[例2]
例1を基に、各NPRACH-Parameters-NB-r14において、ランダムアクセス搬送波構成を含むほか、当該搬送波構成に対応するランダムアクセスリソース構成NPRACH-CarrierConfig-NB-r14を含んでもよい。
【０２０２】
【表２】
2019528020.tif 000011
【０２０３】
上記構成方式を採用した場合、ランダムアクセス搬送波のランダムアクセスリソース構成はnon-anchor carrierのランダムアクセスリソース構成と異なってもよいことを意味する。NPRACH-CarrierConfig-NB-r14の定義の方式は、NPRACH-ConfigSIB-NB-r13で各カバレッジレベルのPRACHリソースの構成方式に類似してもよい。NPRACH-CarrierList-NB-r14に複数のnon-anchor carrier搬送波が含まれる場合、これらの搬送波に対応するランダムアクセスリソース構成は、同一である。
【０２０４】
[例3]
例1を基に、各non anchor carrierの構成において、中心周波数情報を含むほか、以下で示す待ち時間など、他の物理パラメータ構成を含んでもよい。
【０２０５】
【表３】
2019528020.tif 000012
2019528020.tif 000013
【０２０６】
[例4]
例1を基に、ランダムアクセスリソース構成には、ランダムアクセス搬送波構成を追加するほかに、PDCCH受信にリスニングされる搬送波構成をさらに追加してもよい。
【０２０７】
【表４】
2019528020.tif 000014
【０２０８】
上記構成では、システムメッセージSystemInformationBlockTypeX(SystemInformationBlockTypeXは、SIB1、SIB2、又はその他のSIBメッセージであってもよい)には、non-anchor carrier構成が含まれる。non-anchor carrier構成には、総数がmaxNonAnchorCarrierであるnon-anchor carrier中心周波数構成を含む。
【０２０９】
旧バージョンの端末はanchor carrierでページングリスニングを行い、anchor carrierでnprach-Config-r13構成を用いてランダムアクセスを始める。
【０２１０】
新バージョンの端末が上記non-anchor carrier中心周波数構成を受信すると、これらのnon-anchor carrier中心周波数から一つを選択してページングリスニングを行う又はランダムアクセスを始めるよう新バージョンの端末に指示する、黙示的な指示をネットワーク機器から受信したと見なすことができる。
【０２１１】
ランダムアクセスリソース構成は、新バージョンの端末が追加受信する必要のあるランダムアクセスリソース構成NPRACH-ConfigSIB-NB-r14をさらに含む。NPRACH-ConfigSIB-NB-r14は、カバレッジレベルに対応する複数のランダムアクセスリソース構成を含む。各ランダムアクセスリソース構成NPRACH-Parameters-NB-r14は、ランダムアクセス搬送波構成を含む。ランダムアクセス搬送波構成は、複数のランダムアクセス搬送波の中心周波数を含んでもよく、複数のランダムアクセス搬送波の番号CarrierFreqIndex-NB-r14を含んでもよい。当該番号は、システムメッセージで放送されたanchor carrier及び/又はnon-anchor carrierの番号に対応する。anchor carrierの番号が最小であると見なすことができる。
【０２１２】
ランダムアクセスリソース構成は、新バージョンの端末が追加受信する必要のあるPDCCH受信にリスニングされる搬送波構成NPDCCH-ConfigSIB-NB-r14をさらに含む。NPDCCH-ConfigSIB-NB-r14は、カバレッジレベルに対応する複数の搬送波構成を含む。各カバレッジレベルに対応するNPDCCHリスニング搬送波構成は、複数のPDCCH受信にリスニングされる搬送波の中心周波数(その数は、各カバレッジレベルでのランダムアクセス搬送波の数と同一、すなわち最大値がmaxNPRACH-Carrierであるが、異なってもよく、最大値がmaxNPDCCH-Carrierである。)を含んでもよく、複数のPDCCH受信にリスニングされる搬送波の番号CarrierFreqIndex-NB-r14を含んでもよい。当該番号は、システムメッセージで放送されたanchor carrier及び/又はnon-anchor carrierの番号に対応する。anchor carrierの番号が最小であると見なすことができる。
【０２１３】
あるカバレッジレベルに対し、ランダムアクセス搬送波構成に含まれる搬送波の数と、PDCCH受信にリスニングされる搬送波構成に含まれる搬送波の数とが等しいと、ランダムアクセス搬送波構成のうちの搬送波と、PDCCH受信にリスニングされる搬送波構成のうちの搬送波とは、順に一対一に対応していると見なすことができる。すなわち、ランダムアクセス搬送波構成のn番目の搬送波でランダムアクセスを始める場合、PDCCH受信にリスニングされる搬送波構成のn番目の搬送波でPDCCHのリスニングを行う。ランダムアクセス搬送波構成に含まれる搬送波の数と、PDCCH受信にリスニングされる搬送波構成に含まれる搬送波の数とが等しくないと、端末がランダムアクセス搬送波構成のi番目の搬送波を選択してランダムアクセスを始める場合、以下の所定のアルゴリズムに従って、PDCCH受信にリスニングされる搬送波構成からj番目の搬送波を選択してPDCCHのリスニング及び受信を行う。
【０２１４】
【数８】
2019528020.tif 000015
(ここで、NpdはPDCCH受信にリスニングされる搬送波構成のうちの搬送波総数であり、Npaはランダムアクセス搬送波構成のうちの搬送波総数であり、i、jは最小値を1とする。)
【０２１５】
[例5]
例4を基に、non anchor carrier構成では、アップリンクnon anchor carrierとダウンリンクnon anchor carrierを区別することでそれぞれ構成することができ、NPRACH-ConfigSIB-NB-r14とNPDCCH-Parameters-NB-r14は、それぞれアップリンクnon anchor carrierとダウンリンクnon anchor carrierに基づいて構成することができる。構成の相違点は、以下に示す。
【０２１６】
【表５】
2019528020.tif 000016
【０２１７】
[例6]
端末は、以下のように示されるネットワーク機器から放送されたシステムメッセージを受信する。従来の構成を基に新たに追加したnon-anchor carrier構成を補正マークで示す。
【０２１８】
【表６】
2019528020.tif 000017
【０２１９】
上記構成では、システムメッセージSystemInformationBlockTypeX(SystemInformationBlockTypeXは、SIB1、SIB2、又はその他のSIBメッセージであってもよい)には、non-anchor carrier構成が含まれる。non-anchor carrier構成には、総数がmaxNonAnchorCarrierであるnon-anchor carrier中心周波数を含むほか、ランダムアクセスリソース構成をさらに含む。
【０２２０】
ここで、ランダムアクセスリソース構成とanchor carrier上のPRACH構成とは類似した構造を採用し、すなわちカバレッジレベルに対応する複数のランダムアクセスリソース構成を含む。当該ランダムアクセスリソース構成の各パラメータの値は、anchor carrier上のPRACH構成の各パラメータの値と異なってもよい。しかし、すべてのnon-anchor carrierにとって、そのランダムアクセスリソース構成は同一である。
【０２２１】
端末が上記の新規追加したフィールドを解析できると、優先的にnon-anchor carrier構成から一つのcarrierを選択して後続のランダムアクセスフローを実行する。
【０２２２】
[例7]
端末は、以下のように示されるネットワーク機器から放送されたシステムメッセージを受信する。従来の構成を基に新たに追加したnon-anchor carrier構成を補正マークで示す。
【０２２３】
【表７】
2019528020.tif 000018
【０２２４】
上記実施例の構成では、システムメッセージSystemInformationBlockTypeX(SystemInformationBlockTypeXは、SIB1、SIB2、又はその他のSIBメッセージであってもよい)は、総数がmaxNonAnchorCarrierであるnon-anchor carrierの専用構成を含む。各non-anchor carrierの専用構成は、アップリンク/ダウンリンク各自の構成を含む。アップリンクのcarrierとダウンリンクのcarrierは、総数が同一であり、ともにmaxNonAnchorCarrierである。
【０２２５】
各non-anchor carrierのダウンリンク構成は、主に中心周波数情報を含む。アップリンク構成は、中心周波数とランダムアクセスリソース構成を含む。当該ランダムアクセスリソース構成とanchor carrier上のPRACH構成とは、類似した構造を採用し、すなわちカバレッジレベルに対応する複数のランダムアクセスリソース構成を含む。当該ランダムアクセスリソース構成の各パラメータの値は、anchor carrier上のPRACH構成の各パラメータの値と異なってもよい。また、各non-anchor carrierにとって、そのランダムアクセスリソース構成も異なってもよい。
【０２２６】
端末が上記の新規追加したフィールドを解析できると、優先的にnon-anchor carrier構成から一つのcarrierを選択して後続のランダムアクセスフローを実行する。
【０２２７】
[例8]
端末は、以下のように示されるネットワーク機器から放送されたシステムメッセージを受信する。従来の構成を基に新たに追加したnon-anchor carrier構成を補正マークで示す。
【０２２８】
【表８】
2019528020.tif 000019
【０２２９】
上記実施例の構成では、システムメッセージSystemInformationBlockTypeX(SystemInformationBlockTypeXは、SIB1、SIB2、又はその他のSIBメッセージであってもよい)は、総数がmaxDLNonAnchorCarrierであるダウンリンクnon-anchor carrier専用構成と、総数がmaxULNonAnchorCarrierであるアップリンクnon-anchor carrier専用構成を含む。通常、maxDLNonAnchorCarrierとmaxULNonAnchorCarrierは異なる。
【０２３０】
各ダウンリンクnon-anchor carrier専用構成は、中心周波数と他の物理層パラメータを含む。各アップリンクnon-anchor carrier専用構成は、中心周波数とランダムアクセスリソース構成を含む。当該ランダムアクセスリソース構成とanchor carrier上のPRACH構成とは類似した構造を採用し、すなわちカバレッジレベルに対応する複数のランダムアクセスリソース構成を含む。当該ランダムアクセスリソース構成の各パラメータの値は、anchor carrier上の各PRACH構成のパラメータの値と異なってもよい。また、各non-anchor carrierにとって、そのランダムアクセスリソース構成も異なってもよい。
【０２３１】
端末と基地局は、所定のアルゴリズムに従って、i番目のアップリンクnon-anchor carrierを選択してランダムアクセスを始めると特定した場合、j番目のダウンリンクnon-anchor carrierでPDCCHのリスニングを行う。
【０２３２】
一つの可能な所定のアルゴリズムは、以下である。
【０２３３】
【数９】
2019528020.tif 000020
（ここで、NpdはmaxDLNonAnchorCarrierであり、NpaはmaxULNonAnchorCarrierであり、i、jは最小値を1とする。）
【０２３４】
端末が上記の新規追加したフィールドを解析できると、優先的にnon-anchor carrier構成から一つのcarrierを選択して後続のランダムアクセスフローを実行する。
【０２３５】
[例9]
端末は、以下のように示されるネットワーク機器から放送されたシステムメッセージを受信する。従来の構成を基に新たに追加した、non-anchor carrierでランダムアクセスを始めることのできる端末が優先的にnon-anchor carrierでランダムアクセスを始める指示、及び、新規追加した、non-anchor carrierでページング受信のできる端末が優先的にnon-anchor carrierでページングを受信する指示をを補正マークで示す。
【０２３６】
【表９】
2019528020.tif 000021
【０２３７】
端末が上記の新規追加したフィールドを解析できると、どの形式のnon-anchor carrier構成又はランダムアクセスリソース構成を使用しても、優先的にnon-anchor carrier構成から一つのcarrierを選択してページングリスニングを行い、又は後続のランダムアクセスフローを実行する。
【０２３８】
[例10]
例10は、上記実現方式1に基づく総合例である。ネットワーク機器は、すべてのノンアンカー搬送波構成をシステムメッセージによって放送する。前記ノンアンカー搬送波構成には、少なくともノンアンカー搬送波中心周波数リストを含む。前記ノンアンカー搬送波構成における各ノンアンカー搬送波は、アップリンク/ダウンリンク別にそれぞれ構成される。ネットワーク機器からシステムメッセージによって放送されるランダムアクセスリソース構成には、ランダムアクセス中心周波数構成を含む。前記ランダムアクセス中心周波数構成は、カバレッジレベルごとに構成したランダムアクセス中心周波数リストを含む。当該ランダムアクセス中心周波数リストは、一つ又は複数の中心周波数又は中心周波数番号を含む。
【０２３９】
【表１０】
2019528020.tif 000022
【０２４０】
本カバレッジレベルの中心周波数リストのすべての中心周波数は、一つのPRACHリソース構成を含んでもよい。すなわち、以下のように、NPRACH-Parameters-NB-r14の定義を修正する。
【０２４１】
【表１１】
2019528020.tif 000023
【０２４２】
[例11]
例11は、前記ノンアンカー搬送波構成には、ノンアンカー搬送波のランダムアクセスリソース構成リスト、ノンアンカー搬送波の無線カバレッジレベル基準信号受信電力RSRP(Reference Signal Receiving Power)閾値リスト、ダウンリンクノンアンカー搬送波の無線カバレッジレベルRSRP閾値リストのいずれか一つ又はその組み合わせをさらに含むことに基づく総合例である。ネットワーク機器は、すべてのノンアンカー搬送波構成をシステムメッセージによって放送する。前記ノンアンカー搬送波構の各ノンアンカー搬送波は、アップリンク/ダウンリンク別にそれぞれ構成される。前記ノンアンカー搬送波構成は、少なくともノンアンカー搬送波中心周波数リスト及びノンアンカー搬送波構成ごとに構成したランダムアクセスリソース構成を含む。
【０２４３】
【表１２】
2019528020.tif 000024
【０２４４】
図2は、本発明の実施例におけるネットワークシステムリソース構成の伝送方法のフローチャートである。図2に示すように、当該方法はネットワーク機器によって実行することができる。当該方法は、ステップ201とステップ202を含む。
【０２４５】
ステップ201において、ネットワーク機器は、端末に放送するノンアンカー搬送波構成を特定する。
【０２４６】
本実施例において、前記ノンアンカー搬送波構成は、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含む。
【０２４７】
ステップ202において、ネットワーク機器は、前記ノンアンカー搬送波構成を端末に放送する。
【０２４８】
本実施例において、ネットワーク機器は、端末に放送するノンアンカー搬送波構成であって、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を特定することによって、前記ノンアンカー搬送波構成を端末に放送する。端末のノンアンカー搬送波でのページング及びランダムアクセスが実現されることで、ネットワーク機器のページング及びランダムアクセス容量の能力が向上する。
【０２４９】
前記ノンアンカー搬送波構成は、ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む。
【０２５０】
一つの例示的な実施形態において、当該方法は、各無線カバレッジレベルに対応するランダムアクセス搬送波構成を、前記ネットワーク機器から前記端末に放送することをさらに含む。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【０２５１】
一つの例示的な実施形態において、当該方法は、
前記ネットワーク機器から、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末に放送すること、若しくは、
前記ネットワーク機器から、第1アンカー搬送波によってページングリスニングを行うよう前記端末に指示することに用いられる第3指示情報を、前記端末に放送すること、若しくは、
前記ネットワーク機器から、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末に放送すること、若しくは、
前記ネットワーク機器から、ページングリスニング用のリソースにアンカー搬送波が含まれるか否かを前記端末に指示することに用いられる第7指示情報を、前記端末に放送することをさらに含む。
【０２５２】
一つの例示的な実施形態において、当該方法は、
前記ネットワーク機器から、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末に放送すること、若しくは、
前記ネットワーク機器から、第2アンカー搬送波によってランダムアクセスを行うよう前記端末に指示することに用いられる第4指示情報を、前記端末に放送すること、若しくは、
前記ネットワーク機器から、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末に放送すること、若しくは、
前記ネットワーク機器から、ランダムアクセスを行うリソースにアンカー搬送波が含まれるか否かを前記端末に指示することに用いられる第8指示情報を、前記端末に放送することをさらに含む。
【０２５３】
一つの例示的な実施形態において、当該方法は、前記ネットワーク機器から、各無線カバレッジレベルに対応する物理ダウンリンク制御チャネルPDCCH受信にリスニングされる搬送波構成を、前記端末に放送することをさらに含む。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０２５４】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む。
【０２５５】
一つの例示的な実施形態において、前記ノンアンカー搬送波のランダムアクセスリソース構成リストは、少なくとも一つの無線カバレッジレベルに対応するランダムアクセスリソース構成のエントリーを含む。
【０２５６】
一つの例示的な実施形態において、前記ノンアンカー搬送波構成にランダムアクセスリソース構成が含まれなければ、ノンアンカー搬送波のランダムアクセスリソース構成がアンカー搬送波と同一であることをデフォルトにする。
【０２５７】
一つの例示的な実施形態において、異なるノンアンカー搬送波のランダムアクセスリソース構成間は、同一、又は異なる。
【０２５８】
一つの例示的な実施形態において、前記他の物理層パラメータは、ダウンリンクサブフレーム構成、ダウンリンク伝送間隔構成、インバンド(in-band)動作方式での進化型地上無線アクセスE-UTRA制御エリアのサイズのいずれか一つ又はその組み合わせを含む。
【０２５９】
一つの例示的な実施形態において、当該方法は、前記ネットワーク機器から、ノンアンカー搬送波の無線カバレッジレベルRSRP閾値とアンカー搬送波の無線カバレッジレベルRSRP閾値との差を、前記端末に放送することをさらに含むことができる。
【０２６０】
図3は、本発明の実施例におけるネットワークシステムリソース構成の取得装置に含まれるモジュールの概略図である。図3に示すように、前記ネットワークシステムリソース構成の取得装置は、受信モジュール31と特定モジュール32を含む。当該ネットワークシステムリソース構成の取得装置は、端末に集積され、又は単独に配置される。
【０２６１】
受信モジュール31は、ネットワーク機器から放送されたノンアンカー搬送波構成を受信するように設定される。前記ノンアンカー搬送波構成は、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含む。
特定モジュール32は、前記ノンアンカー搬送波構成に基づいて、前記ネットワーク機器とランダムアクセス又はページングリスニングを行うリソース情報を特定するように設定される。
【０２６２】
本実施例において、前記ネットワークシステムリソース構成の取得装置は、ネットワーク機器から放送され、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を受信し、前記ノンアンカー搬送波構成に基づいて、前記ネットワーク機器とランダムアクセス又はページングリスニングを行うリソース情報を特定する。端末のノンアンカー搬送波でのページング及びランダムアクセスが実現されることで、ネットワーク機器のページング及びランダムアクセス容量の能力が向上する。
【０２６３】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む。
【０２６４】
一つの例示的な実施形態において、前記受信モジュール31は、さらに、ネットワーク機器から放送され、各無線カバレッジレベルに対応するランダムアクセス搬送波構成を受信するように設定される。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【０２６５】
一つの例示的な実施形態において、前記受信モジュール31は、さらに、
前記ネットワーク機器から放送された第1指示情報であって、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を取得するように設定され、若しくは、
前記ネットワーク機器から放送された第3指示情報であって、第1アンカー搬送波によってページングリスニングを行うよう前記端末に指示することに用いられる第3指示情報を取得するように設定され、若しくは、
前記ネットワーク機器から放送された第5指示情報であって、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を取得するように設定され、若しくは、
前記ネットワーク機器から放送された第7指示情報であって、ページングリスニング用のリソースにアンカー搬送波が含まれるか否かを前記端末に指示することに用いられる第7指示情報を取得するように設定される。
【０２６６】
一つの例示的な実施形態において、前記受信モジュール31は、さらに、
前記ネットワーク機器から放送された第2指示情報であって、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を取得するように設定され、若しくは、
前記ネットワーク機器から放送された第4指示情報であって、第2アンカー搬送波によってランダムアクセスを行うよう前記端末に指示することに用いられる第4指示情報を取得するように設定され、若しくは、
前記ネットワーク機器から放送された第6指示情報であって、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を取得するように設定され、若しくは、
前記ネットワーク機器から放送された第8指示情報であって、ランダムアクセスを行うリソースにアンカー搬送波が含まれるか否かを前記端末に指示することに用いられる第8指示情報を取得するように設定される。
【０２６７】
一つの例示的な実施形態において、前記受信モジュール31は、さらに、ネットワーク機器から放送され、各無線カバレッジレベルに対応する物理ダウンリンク制御チャネルPDCCH受信にリスニングされる搬送波構成を、前記端末が受信するように設定される。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０２６８】
一つの例示的な実施形態において、前記受信モジュール31は、さらに、所定のアルゴリズムに基づいて、ランダムアクセス搬送波構成のうちのi番目の搬送波を選択してランダムアクセスを始めると特定した場合、PDCCH受信にリスニングされる搬送波構成から、j番目の搬送波を選択してPDCCHのリスニング及び受信を行うように設定される。
【０２６９】
前記所定のアルゴリズムは、
【０２７０】
【数１０】
2019528020.tif 000025
(ここで、NpdはPDCCH受信にリスニングされる搬送波構成のうちの搬送波総数であり、Npaはランダムアクセス搬送波構成のうちの搬送波総数であり、i、jは最小値を1とする。)を含むことができる。
【０２７１】
前記所定のアルゴリズムは、
j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)を含むことができる。
【０２７２】
前記所定のアルゴリズムは、
Npd=Npaの場合、j=iになるが、
Npd≠Npaの場合、j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)になることを含むことができる。
【０２７３】
前記所定のアルゴリズムは、
Npd=Npaの場合、j=iになるが、
Npd≠Npaの場合、
【０２７４】
【数１１】
2019528020.tif 000026
(ここで、NpdはPDCCH受信にリスニングされる搬送波構成のうちの搬送波総数であり、Npaはランダムアクセス搬送波構成のうちの搬送波総数であり、i、jは最小値を1とする。)になることを含むことができる。
【０２７５】
前記受信モジュール31は、さらに、ネットワーク機器から放送され、各ノンアンカー搬送波、各無線カバレッジレベルのいずれかの情報に対応するアップリンク搬送波構成とPDCCH受信にリスニングされる搬送波構成との対応関係の情報を受信するように設定される。
前記アップリンク搬送波構成は、少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リストのいずれか一つ又はその組み合わせを含む。
前記PDCCH受信にリスニングされる搬送波構成は、少なくとも、搬送波中心周波数、搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０２７６】
前記対応関係に基づいて、端末があるアップリンク搬送波を選択してランダムアクセスを始める場合、対応関係を有する前記PDCCH受信にリスニングされる搬送波構成を選択してPDCCHのリスニング及び受信を行う。前記対応関係は、少なくとも、一つの前記アップリンク搬送波構成と一つの前記PDCCH受信にリスニングされる搬送波構成との対応関係、
一つの前記アップリンク搬送波構成と、前記アップリンク搬送波構成に対応可能な搬送波がビットマップ内に所定値1で示され、前記アップリンク搬送波構成に対応不可能な搬送波がビットマップ内に所定値2で示されるように、ビットマップ形式で示された複数の前記PDCCH受信にリスニングされる搬送波構成との対応関係、
前記PDCCH受信にリスニングされる搬送波構成に対応可能な搬送波がビットマップ内に所定値1で示され、前記PDCCH受信にリスニングされる搬送波構成に対応不可能な搬送波がビットマップ内に所定値2で示されるように、ビットマップ形式で示された複数の前記アップリンク搬送波構成と、一つの前記PDCCH受信にリスニングされる搬送波構成との対応関係のいずれか一つ又はその組み合わせを含む。
【０２７７】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む。
【０２７８】
一つの例示的な実施形態において、前記ノンアンカー搬送波のランダムアクセスリソース構成リストは、少なくとも一つの無線カバレッジレベルに対応するランダムアクセスリソース構成のエントリーを含む。
【０２７９】
一つの例示的な実施形態において、前記ノンアンカー搬送波構成にランダムアクセスリソース構成が含まれなければ、ノンアンカー搬送波のランダムアクセスリソース構成がアンカー搬送波と同一であることをデフォルトにする。
【０２８０】
一つの例示的な実施形態において、異なるノンアンカー搬送波のランダムアクセスリソース構成間は、同一、又は異なる。
【０２８１】
一つの例示的な実施形態において、前記他の物理層パラメータは、ダウンリンクサブフレーム構成、ダウンリンク伝送間隔構成、インバンド(in-band)動作方式での進化型地上無線アクセスE-UTRA制御エリアのサイズのいずれか一つ又はその組み合わせを含む。
【０２８２】
一つの例示的な実施形態において、前記受信モジュール31は、さらに、ネットワーク機器から放送されたノンアンカー搬送波の無線カバレッジレベルRSRP閾値とアンカー搬送波の無線カバレッジレベルRSRP閾値との差を、前記端末が受信するように設定される。
【０２８３】
前記ノンアンカー搬送波のランダムアクセスリソース構成は、少なくとも一つのランダムアクセスリソースパラメータを含む。異なるノンアンカー搬送波及び/又はアンカー搬送波に対し異なるランダムアクセスリソースパラメータを設定することによって、ノンアンカー搬送波及び/又はアンカー搬送波に対し、異なるアクセス容量を間接的に設定することができ、若しくは、ノンアンカー搬送波及び/又はアンカー搬送波に対し、異なるアクセス確率又はアクセス可能性を間接的に設定すると見なす。例えば、異なるノンアンカー搬送波に対し異なる副搬送波数を設定することによって、ノンアンカー搬送波に対し、異なるアクセス容量を間接的に設定することができ、若しくは、ノンアンカー搬送波に対し、異なるアクセス確率又はアクセス可能性を間接的に設定すると見なす。それ以上の副搬送波数が設定されたノンアンカー搬送波に対し、端末は、ランダムアクセスプロセスでより高い確率で当該ノンアンカー搬送波を選択するが、逆の場合、端末は、ランダムアクセスプロセスでより低い確率で当該ノンアンカー搬送波を選択する。さらに例えば、異なるノンアンカー搬送波に対し異なる長さのランダムアクセス周期を設定し、より長いランダムアクセス周期が設定されたノンアンカー搬送波に対し、端末は、ランダムアクセスプロセスでより高い確率で当該ノンアンカー搬送波を選択するが、逆の場合、端末は、ランダムアクセスプロセスでより低い確率で当該ノンアンカー搬送波を選択する。一つの例示的な実施形態において、副搬送波数パラメータの値は、従来の値の範囲を基にさらに拡大され、例えば値の範囲は、{n12、n16、n20、n24、n28、n32、n36、n40、n44、n48}に拡大される。一つの例示的な実施形態において、異なるノンアンカー搬送波及び/又はアンカー搬送波に設定したランダムアクセスリソースパラメータの値の間の比例関係は、端末がランダムアクセスプロセスで異なるノンアンカー搬送波及び/又はアンカー搬送波を選択する確率の比例関係を表すことができる。
【０２８４】
図4は、本発明の実施例におけるネットワークシステムリソース構成の伝送装置に含まれるモジュールの概略図である。図4に示すように、前記ネットワークシステムリソース構成の伝送装置は、特定モジュール41と放送モジュール42とを含む。当該ネットワークシステムリソース構成の伝送装置は、ネットワーク機器に集積され、又は、単独に配置される。ここで、
特定モジュール41は、端末に放送するノンアンカー搬送波構成であって、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を特定するように設定される。
放送モジュール42は、前記ノンアンカー搬送波構成を端末に放送するように設定される。
【０２８５】
本実施例において、前記ネットワークシステムリソース構成の伝送装置は、端末に放送するノンアンカー搬送波構成であって、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を特定し、ネットワーク機器から前記ノンアンカー搬送波構成を端末に放送する。端末のノンアンカー搬送波でのページング及びランダムアクセスが実現されることで、ネットワーク機器のページング及びランダムアクセス容量の能力が向上する。
【０２８６】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む。
【０２８７】
前記特定モジュール41は、さらに、所定のアルゴリズムに基づいて、端末がアップリンク搬送波構成のうちのi番目の搬送波を選択してランダムアクセスを始めると特定した場合、対応関係が存在するPDCCH受信にリスニングされる搬送波構成から、j番目の搬送波を選択してPDCCHのリスニング及び受信を行うように設定される。
【０２８８】
前記所定のアルゴリズムは、
Npd=Npaの場合、j=iになるが、
Npd≠Npaの場合、j=(i+k0*Ns)mod Npd+NO(ここで、Npdは対応関係が存在するPDCCH受信にリスニングされる搬送波構成のうちの搬送波総数であり、Npaはランダムアクセス搬送波構成のうちの搬送波総数、若しくは、対応関係が存在するアップリンク搬送波構成のうちの搬送波総数であり、Nsはi番目の搬送波のランダムアクセス搬送波構成のうちの副搬送波id因子又はそれを入力とした関数、若しくは、端末の現在のカバレッジレベル因子又はそれを入力とした関数であり、k0、N0は所定の常数である。)になることを含むことができる。
【０２８９】
Npd=Npaの場合、j=iになるが、
Npd≠Npaの場合、i番目の搬送波のNs値の有効値を、各セグメントのIDが小さい順にM1、M2、…MNpdと示されたNpdセグメントに分け、端末がi番目の搬送波でランダムアクセスを始める場合、選択したランダムアクセスリソースのうちのNs値がM1、M2、…MNpdのうちの一つのセグメント、例えば第Mjセグメントに含まれることに応じて、j番目の搬送波を、PDCCH受信にリスニングされる搬送波として選択する。（ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Nsはランダムアクセス搬送波構成のうちの副搬送波id因子又はそれを入力とした関数、若しくは、端末の現在のカバレッジレベル因子又はそれを入力とした関数である。）
【０２９０】
Npd=Npaの場合、j=iになるが、
Npd≠Npaの場合、j=(i+k1*T)mod Npd+N1(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Tは時間領域因子であり、k1、N1は所定の常数である。)になる。
【０２９１】
Npd=Npaの場合、j=iになるが、
Npd≠Npaの場合、j=(i+k3*Ns+k4*T)mod Npd+N3(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Nsはランダムアクセス搬送波構成のうちの副搬送波id因子又はそれを入力とした関数、若しくは、端末の現在のカバレッジレベル因子又はそれを入力とした関数であり、Tは時間領域因子である。
k3、k4、N3は、所定の常数である。k3はiの最大値であり、k4は(i+k3*Ns)から算出した最大値であることが好ましい。)になる。
若しくは、Npd≠Npaの場合、j=(i+k3*T+k4*Ns)mod Npd+N3(ここで、Npdは対応関係が存在するPDCCH受信にリスニングされる搬送波構成のうちの搬送波総数であり、Npaはランダムアクセス搬送波構成のうちの搬送波総数、若しくは、アップリンク搬送波構成のうちの搬送波総数であり、Nsはランダムアクセス搬送波構成のうちの副搬送波id因子又はそれを入力とした関数、若しくは、端末の現在のカバレッジレベル因子又はそれを入力とした関数であり、Tは時間領域因子である。
k3、k4、N3は、所定の常数である。k3はiの最大値であり、k4は(i+k3*T)から算出した最大値であることが好ましい。)になる。
【０２９２】
一つの例示的な実施形態において、前記放送モジュール42は、さらに、各無線カバレッジレベルに対応するランダムアクセス搬送波構成を前記端末に放送するように設定される。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【０２９３】
一つの例示的な実施形態において、前記放送モジュール42は、さらに、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末に放送するように設定され、若しくは、
第1アンカー搬送波によってページングリスニングを行うよう前記端末に指示することに用いられる第3指示情報を、前記端末に放送するように設定され、若しくは、
システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末に放送するように設定され、若しくは、
ページングリスニング用のリソースにアンカー搬送波が含まれるか否かを前記端末に指示することに用いられる第7指示情報を、前記端末に放送するように設定される。
【０２９４】
一つの例示的な実施形態において、前記放送モジュール42は、さらに、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末に放送するように設定され、若しくは、
第2アンカー搬送波によってランダムアクセスを行うよう前記端末に指示することに用いられる第4指示情報を、前記端末に放送するように設定され、若しくは、
ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末に放送するように設定され、若しくは、
ランダムアクセスを行うリソースにアンカー搬送波が含まれるか否かを前記端末に指示することに用いられる第8指示情報を、前記端末に放送するように設定される。
【０２９５】
一つの例示的な実施形態において、前記放送モジュール42は、さらに、各無線カバレッジレベルに対応する物理ダウンリンク制御チャネルPDCCH受信にリスニングされる搬送波構成を、前記端末に放送するように設定される。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０２９６】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む。
【０２９７】
一つの例示的な実施形態において、前記ノンアンカー搬送波のランダムアクセスリソース構成リストは、少なくとも一つの無線カバレッジレベルに対応するランダムアクセスリソース構成のエントリーを含む。
【０２９８】
一つの例示的な実施形態において、前記ノンアンカー搬送波構成にランダムアクセスリソース構成が含まれなければ、ノンアンカー搬送波のランダムアクセスリソース構成がアンカー搬送波と同一であることをデフォルトにする。
【０２９９】
一つの例示的な実施形態において、異なるノンアンカー搬送波のランダムアクセスリソース構成間は、同一、又は異なる。
【０３００】
一つの例示的な実施形態において、前記他の物理層パラメータは、ダウンリンクサブフレーム構成、ダウンリンク伝送間隔構成、インバンド(in-band)動作方式での進化型地上無線アクセスE-UTRA制御エリアのサイズのいずれか一つ又はその組み合わせを含む。
【０３０１】
一つの例示的な実施形態において、前記放送モジュール42は、さらに、ノンアンカー搬送波の無線カバレッジレベルRSRP閾値とアンカー搬送波の無線カバレッジレベルRSRP閾値との差を、前記端末に放送するように設定される。
【０３０２】
本発明の実施例は、上記ネットワークシステムリソース構成の取得装置及び上記ネットワークシステムリソース構成の伝送装置を含むネットワークシステムを提供する。
【０３０３】
以上に開示した方法のすべて又は一部のステップ、システム、装置の中の機能モジュール/ユニットが、ソフトウェア、ファームウェア、ハードウェア及び適切な組み合わせとして実施されうることは、当業者であれば理解できることである。ハードウェアの実施形態では、以上の記載にて言及された機能モジュール/ユニット間の分割は、必ずしも物理的構成要素の分割に対応しているわけではなく、例えば、1つの物理的構成要素は、複数の機能を有してもよく、若しくは、一つの機能又はステップは、複数の物理的構成要素によって提携して実行されてもよい。一部又はすべての構成要素は、デジタル信号プロセッサ又はマイクロプロセッサなどのプロセッサによって実行されるソフトウェアとして、若しくはハードウェアとして、若しくは特定用途向け集積回路などの集積回路として実施されうる。このようなソフトウェアは、コンピュータ記憶媒体(又は非一時的媒体)及び通信媒体(又は一時的媒体)を含むことができるコンピュータ読み取り可能な媒体に配布することができる。当業者に周知されているように、コンピュータ記憶媒体という用語は、コンピュータ読み取り可能な指令、データ構造、プログラムモジュール又は他のデータなどの情報を記憶するための任意の方法又は技術で実施される揮発性及び不揮発性、リムーバブル/ノンリムーバブルメディア媒体を含む。コンピュータ記憶媒体は、RAM、ROM、EEPROM、フラッシュメモリ又は他のメモリ技術、CD-ROM、デジタル多用途ディスク(DVD)又は他の光ディスク記憶装置、磁気カートリッジ、磁気テープ、磁気ディスク記憶装置又は他の磁気記憶装置、若しくは所望する情報を格納するために使用され、コンピュータからアクセスできるその他の媒体を含むが、それらに限定されない。さらに、通信媒体として、通常、コンピュータ読み取り可能な指令、データ構造、プログラムモジュール、若しくは、搬送波や他の移送機構などの変調データ信号内の他のデータを含み、また、任意の情報伝達媒体も含むことができることは、当業者には周知のことである。
【０３０４】
図5は、本発明の実施例における端末の構造概略図である。図5に示すように、本発明の実施例における端末は、プロセッサ51、及び、前記プロセッサによって実行可能な指令が格納されたメモリ52を含む。ここで、メモリ52は、少なくとも一種の記憶媒体を含む。前記記憶媒体は、フラッシュメモリ、ハードディスク、マルチメディアカード、カード型メモリ(例えばSD又はDXメモリなど)、ランダムアクセスメモリ(RAM)、スタティックランダムアクセスメモリ(SRAM)、読み出し専用メモリ(ROM)、電気的消去可能プログラマブル読み出し専用メモリ(EEPROM)、プログラマブル読み出し専用メモリ(PROM)、磁気メモリ、磁気ディスク、光ディスクなどを含む。
前記指令がプロセッサによって実行されると、
ネットワーク機器から放送された、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を受信することと、
前記ノンアンカー搬送波構成に基づいて、前記ネットワーク機器とランダムアクセス又はページングリスニングを行うリソース情報を特定することを実行する。
【０３０５】
本実施例において、端末のノンアンカー搬送波でのページング及びランダムアクセスが実現されることで、ネットワーク機器のページング及びランダムアクセス容量の能力が向上する。
【０３０６】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む。
【０３０７】
一つの例示的な実施形態において、プロセッサ51は、ネットワーク機器から放送された、各無線カバレッジレベルに対応するランダムアクセス搬送波構成を受信することをさらに実行する。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【０３０８】
一つの例示的な実施形態において、プロセッサ51は、
前記ネットワーク機器から放送された第1指示情報であって、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を取得すること、若しくは、
前記ネットワーク機器から放送された第3指示情報であって、第1アンカー搬送波によってページングリスニングを行うよう前記端末に指示することに用いられる第3指示情報を取得すること、若しくは、
前記ネットワーク機器から放送された第5指示情報であって、システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を取得すること、若しくは、
前記ネットワーク機器から放送された第7指示情報であって、ページングリスニング用のリソースにアンカー搬送波が含まれるか否かを前記端末に指示することに用いられる第7指示情報を取得することをさらに実行する。
【０３０９】
一つの例示的な実施形態において、プロセッサ51は、前記ネットワーク機器から放送された第2指示情報であって、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を取得すること、若しくは、
前記ネットワーク機器から放送された第4指示情報であって、第2アンカー搬送波によってランダムアクセスを行うよう前記端末に指示することに用いられる第4指示情報を取得すること、若しくは、
前記ネットワーク機器から放送された第6指示情報であって、ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を取得すること、若しくは、
前記ネットワーク機器から放送された第8指示情報であって、ランダムアクセスを行うリソースにアンカー搬送波が含まれるか否かを前記端末に指示することに用いられる第8指示情報を取得することをさらに実行する。
【０３１０】
一つの例示的な実施形態において、プロセッサ51は、ネットワーク機器から放送された、各無線カバレッジレベルに対応する物理ダウンリンク制御チャネルPDCCH受信にリスニングされる搬送波構成を受信することをさらに実行する。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０３１１】
一つの例示的な実施形態において、プロセッサ51は、所定のアルゴリズムに基づいて、端末がランダムアクセス搬送波構成のうちのi番目の搬送波を選択してランダムアクセスを始めると特定した場合、PDCCH受信にリスニングされる搬送波構成から、j番目の搬送波を選択してPDCCHのリスニング及び受信を行うことをさらに実行する。
【０３１２】
一つの例示的な実施形態において、前記所定のアルゴリズムは、
【０３１３】
【数１２】
2019528020.tif 000027
(ここで、NpdはPDCCH受信にリスニングされる搬送波構成のうちの搬送波総数であり、Npaはランダムアクセス搬送波構成のうちの搬送波総数であり、i、jは最小値を1とする。)を含む。
【０３１４】
一つの例示的な実施形態において、前記所定のアルゴリズムは、
j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)を含む。
【０３１５】
一つの例示的な実施形態において、前記所定のアルゴリズムは、
Npd=Npaの場合、j=iになるが、
Npd≠Npaの場合、j=(i+Noffset)mod Npd(ここで、Noffsetは所定値又は常数であり、NpdはPDCCH受信にリスニングされる搬送波構成のうちの搬送波総数であり、Npaはランダムアクセス搬送波構成のうちの搬送波総数であり、i、jは最小値を1とする。)になることを含む。
【０３１６】
一つの例示的な実施形態において、前記所定のアルゴリズムは、
Npd=Npaの場合、j=iになるが、
Npd≠Npaの場合、j=(ここで、NpdはPDCCH受信にリスニングされる搬送波構成のうちの搬送波総数であり、Npaはランダムアクセス搬送波構成のうちの搬送波総数であり、i、jは最小値を1とする。)になることを含む。
【０３１７】
なお、ここに記載された様々な実施形態は、例えば、コンピュータソフトウェア、ハードウェア、又はそれらの任意の組み合わせを使用したコンピュータ読み取り可能な媒体で実施することができる。ハードウェアによる実施の場合、ここに記載された実施形態は、特定用途向け集積回路(ASIC)、デジタル信号プロセッサ(DSP)、デジタル信号処理装置(DSPD)、プログラマブルロジックデバイス(PLD)、フィールドプログラマブルゲートアレイ(FPGA)、プロセッサ、コントローラ、マイクロコントローラ、マイクロプロセッサ、及びここに記載の機能を実行するように設計された電子ユニットのうちの少なくとも1つを使用して実施することができる。ソフトウェアによる実施の場合、手順又は機能などの実施形態は、少なくとも1つの機能又は動作の実行を可能にする単独のソフトウェアモジュールによって実施することができる。ソフトウェアコードは、任意の適切なプログラミング言語で記述されたソフトウェアアプリケーション(又はプログラム)によって実施することができる。ソフトウェアコードは、メモリ52に格納され、コントローラによって実行することができる。
【０３１８】
図6は、本発明の実施例におけるネットワーク機器の構造概略図である。図6に示すように、本発明の実施例におけるネットワーク機器は、プロセッサ61、及び、前記プロセッサによって実行可能な指令が格納されたメモリ62を含む。ここで、メモリ62は、少なくとも一種の記憶媒体を含む。前記記憶媒体は、フラッシュメモリ、ハードディスク、マルチメディアカード、カード型メモリ(例えばSD又はDXメモリなど)、ランダムアクセスメモリ(RAM)、スタティックランダムアクセスメモリ(SRAM)、読み出し専用メモリ(ROM)、電気的消去可能プログラマブル読み出し専用メモリ(EEPROM)、プログラマブル読み出し専用メモリ(PROM)、磁気メモリ、磁気ディスク、光ディスクなどを含む。
【０３１９】
前記指令がプロセッサによって実行されると、
端末に放送するノンアンカー搬送波構成であって、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を特定することと、
前記ノンアンカー搬送波構成を端末に放送することとを実行する。
【０３２０】
本実施例において、端末のノンアンカー搬送波でのページング及びランダムアクセスが実現されることで、ネットワーク機器のページング及びランダムアクセス容量の能力が向上する。
【０３２１】
一つの例示的な実施形態において、前記ノンアンカー搬送波構成は、ノンアンカー搬送波のランダムアクセスリソース構成リスト、ノンアンカー搬送波の無線カバレッジレベル基準信号受信電力RSRP閾値リスト、ダウンリンクノンアンカー搬送波の無線カバレッジレベルRSRP閾値リストのいずれか一つ又はその組み合わせをさらに含む。
【０３２２】
一つの例示的な実施形態において、プロセッサ61は、各無線カバレッジレベルに対応するランダムアクセス搬送波構成を前記端末に放送することをさらに実行する。前記ランダムアクセス搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、アップリンクノンアンカー搬送波中心周波数、アップリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、アップリンクノンアンカー搬送波中心周波数番号、アップリンクノンアンカー搬送波中心周波数番号リスト、前記中心周波数又は中心周波数リストに対応するランダムアクセスリソース構成のいずれか一つ又はその組み合わせを含む。
【０３２３】
一つの例示的な実施形態において、プロセッサ61は、第1ノンアンカー搬送波、又は、第1ダウンリンクノンアンカー搬送波、又は、第1ノンアンカー搬送波及び第1ダウンリンクノンアンカー搬送波によってページングリスニングを行うよう前記端末に指示することに用いられる第1指示情報を、前記端末に放送すること、若しくは、
第1アンカー搬送波によってページングリスニングを行うよう前記端末に指示することに用いられる第3指示情報を、前記端末に放送すること、若しくは、
システムから放送されたアンカー搬送波リストのうちの少なくとも一つのアンカー搬送波を含む第1アンカー搬送波、前記ノンアンカー搬送波構成のうちの少なくとも一つのノンアンカー搬送波を含む第1ノンアンカー搬送波、又は、前記ノンアンカー搬送波構成のうちの少なくとも一つのダウンリンクノンアンカー搬送波を含む第1ダウンリンクノンアンカー搬送波によってページングリスニングを行うよう前記端末に指示することに用いられる第5指示情報を、前記端末に放送すること、若しくは、
ページングリスニング用のリソースにアンカー搬送波が含まれるか否かを前記端末に指示することに用いられる第7指示情報を、前記端末に放送することをさらに実行する。
【０３２４】
一つの例示的な実施形態において、プロセッサ61は、第2ノンアンカー搬送波、又は、第2アップリンクノンアンカー搬送波、又は、第2ノンアンカー搬送波及び第2アップリンクノンアンカー搬送波によってランダムアクセスを行うよう前記端末に指示することに用いられる第2指示情報を、前記端末に放送すること、若しくは、
第2アンカー搬送波によってランダムアクセスを行うよう前記端末に指示することに用いられる第4指示情報を、前記端末に放送すること、若しくは、
ネットワーク機器から放送されたアンカー搬送波リストのうちの少なくとも一つのアンカー搬送波を含む第2アンカー搬送波、前記ノンアンカー搬送波構成又は前記ランダムアクセス搬送波構成のうちの少なくとも一つのノンアンカー搬送波を含む第2ノンアンカー搬送波、又は、前記ノンアンカー搬送波構成又は前記ランダムアクセス搬送波構成のうちの少なくとも一つのアップリンクノンアンカー搬送波を含む第2アップリンクノンアンカー搬送波によってランダムアクセスを行うよう前記端末に指示することに用いられる第6指示情報を、前記端末に放送すること、若しくは、
ランダムアクセスを行うリソースにアンカー搬送波が含まれるか否かを前記端末に指示することに用いられる第8指示情報を、前記端末に放送することをさらに実行する。
【０３２５】
一つの例示的な実施形態において、プロセッサ61は、各無線カバレッジレベルに対応する物理ダウンリンク制御チャネルPDCCH受信にリスニングされる搬送波構成を、前記端末に放送することをさらに実行する。前記PDCCH受信にリスニングされる搬送波構成は、少なくとも、アンカー搬送波中心周波数とノンアンカー搬送波中心周波数を含む搬送波中心周波数、アンカー搬送波中心周波数リストとノンアンカー搬送波中心周波数リストを含む搬送波中心周波数リスト、アンカー搬送波中心周波数、アンカー搬送波中心周波数リスト、ノンアンカー搬送波中心周波数、ノンアンカー搬送波中心周波数リスト、ダウンリンクノンアンカー搬送波中心周波数、ダウンリンクノンアンカー搬送波中心周波数リスト、搬送波番号、搬送波番号リスト、アンカー搬送波番号、アンカー搬送波番号リスト、ノンアンカー搬送波番号、ノンアンカー搬送波番号リスト、ダウンリンクノンアンカー搬送波中心周波数番号、ダウンリンクノンアンカー搬送波中心周波数番号リストのいずれか一つ又はその組み合わせを含む。
【０３２６】
一つの例示的な実施形態において、前記ノンアンカー搬送波構成パラメータリスト、又は前記アップリンクノンアンカー搬送波構成パラメータリスト、又は前記ダウンリンクノンアンカー搬送波構成パラメータリストの各リストの各エントリーは、他の物理層パラメータを含む。
【０３２７】
一つの例示的な実施形態において、前記ノンアンカー搬送波のランダムアクセスリソース構成リストは、少なくとも一つの無線カバレッジレベルに対応するランダムアクセスリソース構成のエントリーを含む。
【０３２８】
なお、ここに記載された様々な実施形態は、例えば、コンピュータソフトウェア、ハードウェア、又はそれらの任意の組み合わせを使用したコンピュータ読み取り可能な媒体で実施することができる。ハードウェアによる実施の場合、ここに記載された実施形態は、特定用途向け集積回路(ASIC)、デジタル信号プロセッサ(DSP)、デジタル信号処理装置(DSPD)、プログラマブルロジックデバイス(PLD)、フィールドプログラマブルゲートアレイ(FPGA)、プロセッサ、コントローラ、マイクロコントローラ、マイクロプロセッサ、及びここに記載の機能を実行するように設計された電子ユニットのうちの少なくとも1つを使用して実施することができる。ソフトウェアによる実施の場合、手順又は機能などの実施形態は、少なくとも1つの機能又は動作の実行を可能にする単独のソフトウェアモジュールを使用して実施することができる。ソフトウェアコードは、任意の適切なプログラミング言語で記述されたソフトウェアアプリケーションプログラム(又はプログラム)によって実施することができる。ソフトウェアコードは、メモリ52に格納され、コントローラによって実行することができる。
【０３２９】
本発明の実施例は、上記端末及び上記ネットワーク機器を含むネットワークシステムをさらに提供する。
【０３３０】
また、本発明の実施例は、プロセッサによって実行されると、前記ネットワークシステムリソース構成の取得方法を実現させる、コンピュータで実行可能な指令が格納されたコンピュータ読み取り可能な記憶媒体をさらに提供する。本発明の実施例は、プロセッサによって実行されると、前記ネットワークシステムリソース構成の伝送方法を実現させる、コンピュータで実行可能な指令が格納されたコンピュータ読み取り可能な記憶媒体をさらに提供する。
【０３３１】
以上の記載は、本発明の実施例であり、特許請求の範囲を限定するために用いられるものではない。当業者は、実施例の形式や細部において任意の修正や変更を行うことができるが、本願の特許請求の範囲は、添付する特許請求の範囲に限定された範囲を基準とする。
【産業上の利用可能性】
【０３３２】
本発明の実施例において、端末は、ネットワーク機器から放送された、少なくともノンアンカー搬送波中心周波数リスト、ノンアンカー搬送波構成パラメータリスト、アップリンクノンアンカー搬送波中心周波数リスト、アップリンクノンアンカー搬送波構成パラメータリスト、ダウンリンクノンアンカー搬送波中心周波数リスト、ダウンリンクノンアンカー搬送波構成パラメータリストのいずれか一つ又はその組み合わせを含むノンアンカー搬送波構成を受信し、前記ノンアンカー搬送波構成に基づいて、前記ネットワーク機器とランダムアクセス又はページングリスニングを行うリソース情報を特定する。端末のノンアンカー搬送波でのページング及びランダムアクセスが実現されることで、ネットワーク機器のページング及びランダムアクセス容量の能力が向上する。
【図１】
2019528020.tif 000032
【図２】
2019528020.tif 000033
【図３】
2019528020.tif 000034
【図４】
2019528020.tif 000035
【図５】
2019528020.tif 000036
【図６】
2019528020.tif 000037
【手続補正書】
【提出日】平成31年4月12日(2019.4.12)
【手続補正１】
【補正対象書類名】明細書
【補正対象項目名】０１２０
【補正方法】変更
【補正の内容】
【０１２０】
一つの例示的な実施形態において、前記所定のアルゴリズムは、
Npd=Npaの場合、j=iになるが、
Npd≠Npaの場合、
2019528020.tif 000038
(ここで、NpdはPDCCH受信にリスニングされる搬送波構成のうちの搬送波総数であり、Npaはランダムアクセス搬送波構成のうちの搬送波総数であり、i、jは最小値を1とする。)になることを含む。
【手続補正２】
【補正対象書類名】明細書
【補正対象項目名】０３１６
【補正方法】変更
【補正の内容】
【０３１６】
一つの例示的な実施形態において、前記所定のアルゴリズムは、
Npd=Npaの場合、j=iになるが、
Npd≠Npaの場合、
2019528020.tif 000039
(ここで、NpdはPDCCH受信にリスニングされる搬送波構成のうちの搬送波総数であり、Npaはランダムアクセス搬送波構成のうちの搬送波総数であり、i、jは最小値を1とする。)になることを含む。
【国際調査報告】
2019528020.tif 000040
2019528020.tif 000041
2019528020.tif 000042
2019528020.tif 000043